(57)【要約】  通信システム（１）は、ユーザ端末（３０）と複数の基地局（２０）とを備える。通信システムは、接続セルと協調セルとを含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう。通信システムは、複数の協調セルの中から基準協調セルを選択する。ユーザ端末は、基準協調セルにおいて受信された無線信号と、接続セルにおいて受信された無線信号と、に基づいて、接続セル位相を調整するための調整パラメータを取得し、取得された調整パラメータを含む制御情報を接続基地局へ送信する。接続基地局は、受信された制御情報に含まれる調整パラメータに基づいて接続セル位相が調整されるように、ＣｏＭＰ通信の実行を制御する。
2014174584.tif 000002
【特許請求の範囲】
【請求項１】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムであって、
前記複数の協調セルの中から、前記接続セルにおいて送信される無線信号の複素平面における位相である接続セル位相を調整するための基準となる基準協調セルを選択する選択手段を備え、
前記ユーザ端末は、
前記選択された基準協調セルにおいて受信された無線信号と、前記接続セルにおいて受信された無線信号と、に基づいて、前記接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備え、
前記接続基地局は、
前記制御情報を受信し、当該受信された制御情報に含まれる前記調整パラメータに基づいて前記接続セル位相が調整されるように、前記ＣｏＭＰ通信の実行を制御する制御手段を備える通信システム。
【請求項２】
請求項１に記載の通信システムであって、
前記複数のセルのそれぞれにおいて、プリコーディング行列に基づくプリコーディング処理が実行された前記無線信号を前記ユーザ端末へ伝送するように構成され、且つ、
前記セルにおける通信の状態に応じてプリコーディング行列を変更する適応方式を、前記基準協調セルにおいて用いるとともに、前記セルにおける通信の状態に応じてプリコーディング行列を変更しない非適応方式を、前記複数の協調セルのうちの前記基準協調セル以外の非基準協調セルにおいて用いるように構成された通信システム。
【請求項３】
請求項２に記載の通信システムであって、
前記非適応方式は、所定の変更周期が経過する毎に、予め定められた複数のプリコーディング行列のいずれかに変更する方式である通信システム。
【請求項４】
請求項１乃至請求項３のいずれか一項に記載の通信システムであって、
前記複数のセルのそれぞれに対して、当該セルにおける通信の状態を表す通信状態パラメータを取得する通信状態取得手段を備え、
前記選択手段は、前記複数のセルのそれぞれに対して取得された通信状態パラメータに基づいて、前記基準協調セルを選択するように構成された通信システム。
【請求項５】
請求項４に記載の通信システムであって、
前記選択手段は、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択するように構成された通信システム。
【請求項６】
請求項５に記載の通信システムであって、
前記選択手段は、前記ＲＳＲＰが最大である協調セルを、前記基準協調セルとして選択するように構成された通信システム。
【請求項７】
請求項１乃至請求項６のいずれか一項に記載の通信システムであって、
前記選択手段は、前記セルにおける通信の状態を表す通信状態パラメータ、及び、前記協調セルの数、の少なくとも１つに基づいて、前記基準協調セルとして選択される協調セルの数を変更するように構成された通信システム。
【請求項８】
請求項１乃至請求項７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得するように構成された通信システム。
【請求項９】
請求項１乃至請求項７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得するように構成された通信システム。
【請求項１０】
請求項１乃至請求項７のいずれか一項に記載の通信システムであって、
前記選択手段は、前記基準協調セルとして複数の協調セルを選択するように構成され、
前記調整パラメータ取得手段は、前記接続セル及び前記選択された複数の基準協調セルのみによりＣｏＭＰ通信が行なわれた場合において当該ＣｏＭＰ通信における通信路容量を最大にする前記調整パラメータを取得するように構成された通信システム。
【請求項１１】
請求項１乃至請求項７のいずれか一項に記載の通信システムであって、
前記選択手段は、前記基準協調セルとして１つの協調セルのみを選択するように構成され、
前記調整パラメータ取得手段は、前記接続セル及び前記基準協調セルのみによりＣｏＭＰ通信が行なわれた場合において当該ＣｏＭＰ通信における通信路容量を最大にする前記調整パラメータを取得するように構成された通信システム。
【請求項１２】
請求項１乃至請求項１１のいずれか一項に記載の通信システムであって、
前記複数の協調セルのうちの、前記選択された基準協調セル以外の非基準協調セルを前記接続基地局が有する場合、前記接続セル位相に加えて、当該非基準協調セルにおいて送信される無線信号の複素平面における位相である協調セル位相を調整するように構成された通信システム。
【請求項１３】
請求項１乃至請求項１２のいずれか一項に記載の通信システムであって、
前記調整パラメータは、位相の量を表し、
前記制御手段は、前記調整パラメータが表す位相の量に基づいて、前記接続セル位相を調整するように構成された通信システム。
【請求項１４】
請求項１乃至請求項１３のいずれか一項に記載の通信システムであって、
前記複数の基地局のうちの、前記接続基地局以外の協調基地局が、少なくとも１つの前記協調セルを有する通信システム。
【請求項１５】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムに適用される通信方法であって、
前記複数の協調セルの中から、前記接続セルにおいて送信される無線信号の複素平面における位相である接続セル位相を調整するための基準となる基準協調セルを選択し、
前記ユーザ端末が、前記選択された基準協調セルにおいて受信された無線信号と、前記接続セルにおいて受信された無線信号と、に基づいて、前記接続セル位相を調整するための調整パラメータを取得し、
前記ユーザ端末が、前記取得された調整パラメータを含む前記制御情報を、前記複数の基地局のうちの前記接続セルを有する接続基地局へ送信し、
前記接続基地局が、前記制御情報を受信し、当該受信された制御情報に含まれる前記調整パラメータに基づいて前記接続セル位相が調整されるように、前記ＣｏＭＰ通信の実行を制御する、通信方法。
【請求項１６】
請求項１５に記載の通信方法であって、
前記複数のセルのそれぞれにおいて、プリコーディング行列に基づくプリコーディング処理が実行された前記無線信号を前記ユーザ端末へ伝送し、
前記セルにおける通信の状態に応じてプリコーディング行列を変更する適応方式を、前記基準協調セルにおいて用いるとともに、前記セルにおける通信の状態に応じてプリコーディング行列を変更しない非適応方式を、前記複数の協調セルのうちの前記基準協調セル以外の協調セルである非基準協調セルにおいて用いる、通信方法。
【請求項１７】
請求項１６に記載の通信方法であって、
前記非適応方式は、所定の変更周期が経過する毎に、予め定められた複数のプリコーディング行列のいずれかに変更する方式である通信方法。
【請求項１８】
請求項１５乃至請求項１７のいずれか一項に記載の通信方法であって、
前記複数のセルのそれぞれに対して、当該セルにおける通信の状態を表す通信状態パラメータを取得し、
前記選択において、前記複数のセルのそれぞれに対して取得された通信状態パラメータに基づいて、前記基準協調セルを選択する、通信方法。
【請求項１９】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備えるユーザ端末。
【請求項２０】
請求項１９に記載のユーザ端末であって、
前記調整パラメータ取得手段は、前記基準協調セルとして複数の協調セルが選択された場合において、当該選択された複数の基準協調セルのそれぞれに対して、前記接続セル及び当該基準協調セルのみによりＣｏＭＰ通信が行なわれたときに当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得するように構成されたユーザ端末。
【請求項２１】
請求項１９に記載のユーザ端末であって、
前記調整パラメータ取得手段は、前記基準協調セルとして複数の協調セルが選択された場合において、当該選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得するように構成されたユーザ端末。
【請求項２２】
請求項１９に記載のユーザ端末であって、
前記調整パラメータ取得手段は、前記基準協調セルとして複数の協調セルが選択された場合において、前記接続セル及び当該選択された複数の基準協調セルのみによりＣｏＭＰ通信が行なわれたときに当該ＣｏＭＰ通信における通信路容量を最大にする前記調整パラメータを取得するように構成されたユーザ端末。
【請求項２３】
請求項１９に記載のユーザ端末であって、
前記調整パラメータ取得手段は、前記基準協調セルとして１つの協調セルのみが選択された場合において、前記接続セル及び当該基準協調セルのみによりＣｏＭＰ通信が行なわれたときに当該ＣｏＭＰ通信における通信路容量を最大にする前記調整パラメータを取得するように構成されたユーザ端末。
【請求項２４】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末の制御方法であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得し、
前記取得された調整パラメータを含む前記制御情報を、前記複数の基地局のうちの前記接続セルを有する接続基地局へ送信する、制御方法。
【請求項２５】
請求項２４に記載の制御方法であって、
前記基準協調セルとして複数の協調セルが選択された場合において、当該選択された複数の基準協調セルのそれぞれに対して、前記接続セル及び当該基準協調セルのみによりＣｏＭＰ通信が行なわれたときに当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得する、制御方法。
【請求項２６】
請求項２４に記載の制御方法であって、
前記基準協調セルとして複数の協調セルが選択された場合において、当該選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得する、制御方法。
【請求項２７】
請求項２４に記載の制御方法であって、
前記基準協調セルとして複数の協調セルが選択された場合において、前記接続セル及び当該選択された複数の基準協調セルのみによりＣｏＭＰ通信が行なわれたときに当該ＣｏＭＰ通信における通信路容量を最大にする前記調整パラメータを取得する、制御方法。
【請求項２８】
請求項２４に記載の制御方法であって、
前記基準協調セルとして１つの協調セルのみが選択された場合において、前記接続セル及び当該基準協調セルのみによりＣｏＭＰ通信が行なわれたときに当該ＣｏＭＰ通信における通信路容量を最大にする前記調整パラメータを取得する、制御方法。
【請求項２９】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局であって、
前記複数の協調セルの中から、前記接続セルにおいて送信される無線信号の複素平面における位相である接続セル位相を調整するための基準となる基準協調セルを選択する選択手段と、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する制御手段と、
を備える接続基地局。
【請求項３０】
請求項２９に記載の接続基地局であって、
前記通信システムは、前記複数のセルのそれぞれにおいて、プリコーディング行列に基づくプリコーディング処理が実行された前記無線信号を前記ユーザ端末へ伝送するように構成され、
前記接続基地局は、
前記基準協調セルを有する基地局へ、前記セルにおける通信の状態に応じてプリコーディング行列を変更する適応方式を当該基準協調セルにおいて用いるように指示する方式指示を送信するとともに、前記複数の協調セルのうちの当該基準協調セル以外の非基準協調セルを有する基地局へ、前記セルにおける通信の状態に応じてプリコーディング行列を変更しない非適応方式を当該非基準協調セルにおいて用いるように指示する方式指示を送信する送信手段を備える接続基地局。
【請求項３１】
請求項２９又は請求項３０に記載の接続基地局であって、
前記複数のセルのそれぞれに対して、当該セルにおける通信の状態を表す通信状態パラメータを取得する通信状態取得手段を備え、
前記選択手段は、前記複数のセルのそれぞれに対して取得された通信状態パラメータに基づいて、前記基準協調セルを選択するように構成された接続基地局。
【請求項３２】
請求項３１に記載の接続基地局であって、
前記選択手段は、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択するように構成された接続基地局。
【請求項３３】
請求項２９乃至請求項３２のいずれか一項に記載の接続基地局であって、
前記選択手段は、前記セルにおける通信の状態を表す通信状態パラメータ、及び、前記協調セルの数、の少なくとも１つに基づいて、前記基準協調セルとして選択される協調セルの数を変更するように構成された接続基地局。
【請求項３４】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局の制御方法であって、
前記複数の協調セルの中から、前記接続セルにおいて送信される無線信号の複素平面における位相である接続セル位相を調整するための基準となる基準協調セルを選択し、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する、制御方法。
【請求項３５】
請求項３４に記載の制御方法であって、
前記通信システムは、前記複数のセルのそれぞれにおいて、プリコーディング行列に基づくプリコーディング処理が実行された前記無線信号を前記ユーザ端末へ伝送するように構成され、
前記制御方法は、
前記基準協調セルを有する基地局へ、前記セルにおける通信の状態に応じてプリコーディング行列を変更する適応方式を当該基準協調セルにおいて用いるように指示する方式指示を送信するとともに、前記複数の協調セルのうちの当該基準協調セル以外の非基準協調セルを有する基地局へ、前記セルにおける通信の状態に応じてプリコーディング行列を変更しない非適応方式を当該非基準協調セルにおいて用いるように指示する方式指示を送信する、制御方法。
【請求項３６】
請求項３４又は請求項３５に記載の制御方法であって、
前記複数のセルのそれぞれに対して、当該セルにおける通信の状態を表す通信状態パラメータを取得し、
前記選択において、前記複数のセルのそれぞれに対して取得された通信状態パラメータに基づいて、前記基準協調セルを選択する、制御方法。
【請求項３７】
請求項３６に記載の制御方法であって、
前記選択において、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択する、制御方法。
【請求項３８】
請求項３４乃至請求項３７のいずれか一項に記載の制御方法であって、
前記選択において、前記セルにおける通信の状態を表す通信状態パラメータ、及び、前記協調セルの数、の少なくとも１つに基づいて、前記基準協調セルとして選択される協調セルの数を変更する、制御方法。
【発明の詳細な説明】
【技術分野】
【０００１】
本発明は、通信システム、通信方法、ユーザ端末、制御方法、及び、接続基地局に関する。
【背景技術】
【０００２】
ユーザ端末と複数の基地局とを備える通信システムが知られている。この種の通信システムの１つは、複数の基地局が有する複数のセルにて同一のデータを表す無線信号をユーザ端末へ伝送するＣｏＭＰ（Ｃｏｏｒｄｉｎａｔｅｄ  Ｍｕｌｔｉ−Ｐｏｉｎｔ）通信を行なう（例えば、非特許文献１を参照）。【０００３】
複数のセルは、接続セルと協調セルとを含む。接続セルは、ユーザ端末と基地局との間の通信を制御するための制御情報を授受するための無線リソースが提供されるセルである。協調セルは、接続セル以外のセルである。
これによれば、通信システムの全体に対するスループット、及び、セルの端部に位置するユーザ端末に対するスループットを高めることができる。【０００４】
また、上記通信システムに関連する下記の第１通信システム〜第４通信システムが知られている（例えば、特許文献１乃至４を参照）。
第１通信システムは、移動端末が、アンカー基地局及び協調基地局の伝送路状況に基づく情報（ＣＳＩ）をアンカー基地局にフィードバックする。更に、第１通信システムは、アンカー基地局が、フィードバックされたＣＳＩに基づいてプリコーディング行列を決定する。【０００５】
また、第２通信システムは、協調元の基地局が協調送信対象のデータ及び協調制御情報を協調先の基地局に送信する。更に、第２通信システムは、協調先の基地局が協調元の基地局から受信した協調制御情報に基づいて協調送信対象のデータを通信端末へ送信する。【０００６】
また、第３通信システムは、基地局が他の基地局から、Ｘ２インターフェースを介してバックホール・メッセージを受信する。更に、第３通信システムは、受信されたバックホール・メッセージ内の同期はずれ情報に基づいてデータブロックを処理し、処理されたデータブロックを移動局へ送信する。【０００７】
また、第４通信システムは、端末が、ＣｏＭＰ隣接セルに対して制限及び／または推奨を希望するＰＭＩ（Ｐｒｅｃｏｄｉｎｇ  Ｍａｔｒｉｘ  Ｉｎｄｉｃａｔｏｒ）情報をサービング基地局へ伝送する。更に、第４通信システムは、サービング基地局が受信したＰＭＩ情報をＣｏＭＰ隣接セルに伝送する。
【先行技術文献】
【特許文献】
【０００８】
【特許文献１】特開２０１１−４１６１号公報
【特許文献２】特開２０１２−１７８８２２号公報
【特許文献３】特表２０１２−５２１１１２号公報
【特許文献４】特表２０１２−５２０００１号公報
【非特許文献】
【０００９】
【非特許文献１】３ｒｄ  Ｇｅｎｅｒａｔｉｏｎ  Ｐａｒｔｎｅｒｓｈｉｐ  Ｐｒｏｊｅｃｔ，「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｃｏｏｒｄｉｎａｔｅｄ  ｍｕｌｔｉ−ｐｏｉｎｔ  ｏｐｅｒａｔｉｏｎ  ｆｏｒ  ＬＴＥ  ｐｈｙｓｉｃａｌ  ｌａｙｅｒ  ａｓｐｅｃｔｓ（Ｒｅｌｅａｓｅ  １１）」，３ＧＰＰ  ＴＲ３６．８１９，２０１１年１２月、Ｖ１１．１．０
【発明の概要】
【発明が解決しようとする課題】
【００１０】
ところで、基地局により送信された無線信号の複素平面における位相と、ユーザ端末により受信された無線信号の複素平面における位相と、の差（位相変化量）は、セル毎に異なる。更に、位相変化量は、ユーザ端末の移動等による、無線信号の伝搬環境の変化に伴って、比較的短い時間内に変動する。【００１１】
そこで、例えば、下記のように通信システムを構成することが考えられる。この通信システムは、ユーザ端末と複数の基地局とを備える。ユーザ端末は、複数の協調セルのそれぞれに対して、当該協調セルにおいて受信された無線信号と、接続セルにおいて受信された無線信号と、に基づいて、個別調整パラメータを取得する。個別調整パラメータは、協調セルにおいて送信される無線信号の複素平面における位相であるセル位相を調整するためのパラメータである。【００１２】
更に、ユーザ端末は、複数の協調セルのそれぞれに対して取得された個別調整パラメータを含む制御情報を接続基地局へ送信する。接続基地局は、接続セルを有する基地局である。加えて、接続基地局は、個別調整パラメータを各協調基地局へ送信する。協調基地局は、協調セルを有する基地局である。更に、各協調基地局は、個別調整パラメータに基づいてセル位相が調整されるように、ＣｏＭＰ通信の実行を制御する。【００１３】
しかしながら、接続基地局と協調基地局との間の通信は、比較的大きく遅延する。このため、個別調整パラメータが取得されてから、実際にその個別調整パラメータに基づくＣｏＭＰ通信が実行されるまでの間に、位相変化量が比較的大きく変化する場合がある。この場合、ＣｏＭＰ通信が実行される時点における位相変化量が個別調整パラメータに適切に反映されていないため、ユーザ端末が受信する無線信号の品質（受信品質）が低下する。【００１４】
このように、上記のように構成された通信システムにおいては、各セルにおける通信の状態が比較的短い時間内に変動する場合、ユーザ端末における受信品質が低下するという問題があった。【００１５】
そこで、本発明の目的の一つは、上述した課題である、ユーザ端末における受信品質が低下する場合が生じること、を解決することが可能な通信システムを提供することにある。【００１６】
なお、上記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１７】
かかる目的を達成するため通信システムは、ユーザ端末と複数の基地局とを備える。更に、通信システムは、接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう。接続セルは、ユーザ端末と基地局との間の通信を制御するための制御情報を授受するための無線リソースが提供されるセルである。【００１８】
更に、この通信システムは、上記複数の協調セルの中から、上記接続セルにおいて送信される無線信号の複素平面における位相である接続セル位相を調整するための基準となる基準協調セルを選択する選択手段を備える。
加えて、上記ユーザ端末は、上記選択された基準協調セルにおいて受信された無線信号と、上記接続セルにおいて受信された無線信号と、に基づいて、上記接続セル位相を調整するための調整パラメータを取得する調整パラメータ取得手段を備える。更に、上記ユーザ端末は、上記取得された調整パラメータを含む上記制御情報を、上記複数の基地局のうちの上記接続セルを有する接続基地局へ送信する送信手段を備える。
更に、上記接続基地局は、上記制御情報を受信し、当該受信された制御情報に含まれる上記調整パラメータに基づいて上記接続セル位相が調整されるように、上記ＣｏＭＰ通信の実行を制御する制御手段を備える。
【発明の効果】
【００１９】
開示の通信システムによれば、ユーザ端末における受信品質を高めることができる。
【図面の簡単な説明】
【００２０】
【図１】第１実施形態の一例としての通信システムの構成を表す図である。
【図２】第１実施形態の一例としての基地局の構成を表す図である。
【図３】第１実施形態の一例としてのユーザ端末の構成を表す図である。
【図４】第１実施形態の一例としての基地局の機能を表す図である。
【図５】第１実施形態の一例としてのユーザ端末の機能を表す図である。
【図６】第１実施形態の一例としての通信システムの作動を表すシーケンス図である。
【図７】第１実施形態の一例としてのユーザ端末が実行する位相調整量算出処理を表すフローチャートである。
【図８】第１実施形態の一例としての基地局が実行する接続セルＣｏＭＰ通信処理を表すフローチャートである。
【図９】第１実施形態の一例としての基地局が実行する協調セルＣｏＭＰ通信処理を表すフローチャートである。
【図１０】第１実施形態の一例としての基地局が実行する位相調整量更新処理を表すフローチャートである。
【図１１】第２実施形態の一例としてのユーザ端末の機能を表す図である。
【図１２】第３実施形態の一例としてのユーザ端末の機能を表す図である。
【発明を実施するための形態】
【００２１】
上述した課題の少なくとも１つに対処するため、以下、本発明に係る、通信システム、通信方法、ユーザ端末、制御方法、及び、接続基地局、の各実施形態について図１〜図１２を参照しながら説明する。
【００２２】
＜第１実施形態＞
（概要）
第１実施形態に係る通信システムは、ユーザ端末と複数の基地局とを備える。この通信システムは、接続セルと、複数の協調セルと、を含む複数のセルにて同一のデータを表す無線信号をユーザ端末へ伝送するＣｏＭＰ（Ｃｏｏｒｄｉｎａｔｅｄ  Ｍｕｌｔｉ−Ｐｏｉｎｔ）通信を行なう。ここで、接続セルは、ユーザ端末と基地局との間の通信を制御するための制御情報を授受するための無線リソースが提供されるセルである。協調セルは、接続セル以外のセルである。
【００２３】
先ず、通信システムは、複数の協調セルの中から、接続セルにおいて送信される無線信号の複素平面における位相である接続セル位相を調整するための基準となる基準協調セルを選択する。
【００２４】
そして、ユーザ端末は、選択された基準協調セルにおいて受信された無線信号と、接続セルにおいて受信された無線信号と、に基づいて、接続セル位相を調整するための調整パラメータを取得する。次いで、ユーザ端末は、取得された調整パラメータを含む制御情報を、複数の基地局のうちの接続セルを有する接続基地局へ送信する。
【００２５】
そして、接続基地局は、制御情報を受信し、受信された制御情報に含まれる調整パラメータに基づいて接続セル位相が調整されるように、ＣｏＭＰ通信の実行を制御する。
【００２６】
上記のように構成された通信システムによれば、接続基地局と他の基地局との間で、無線信号の複素平面における位相を調整するための情報が授受されることなく、接続セル位相が調整される。これにより、各セルにおける通信の状態が比較的短い時間内に変動する場合であっても、ユーザ端末における受信品質が低下することを回避することができる。
【００２７】
以下、第１実施形態について詳細に説明する。
（構成）
図１に示したように、第１実施形態に係る通信システム１は、複数の交換局１０−１，…と、複数の基地局２０−１，２０−２，２０−３，…と、複数のユーザ端末（移動局）３０−１，…と、を備える。
【００２８】
また、以下において、交換局１０−１は、交換局＃１と表記され得る。また、複数の交換局１０−１，…は、区別する必要がない場合、単に交換局１０と表記され得る。同様に、複数の基地局２０−１，２０−２，２０−３は、基地局＃１、基地局＃２、及び、基地局＃３とそれぞれ表記され得る。また、複数の基地局２０−１，２０−２，２０−３，…は、区別する必要がない場合、単に基地局２０と表記され得る。
【００２９】
同様に、ユーザ端末３０−１は、ユーザ端末＃１と表記され得る。また、複数のユーザ端末３０−１，…は、区別する必要がない場合、単にユーザ端末３０と表記され得る。
なお、交換局１０の数、基地局２０の数、及び、ユーザ端末３０の数、の少なくとも１つは、１つであってもよい。
【００３０】
通信システム１は、移動体通信システムを構成する。本例では、通信システム１は、ＬＴＥ（Ｌｏｎｇ  Ｔｅｒｍ  Ｅｖｏｌｕｔｉｏｎ）に従った通信を行なうように構成される。なお、通信システム１は、ＬＴＥ−Ａｄｖａｎｃｅｄに従った通信を行なうように構成されていてもよい。また、通信システム１は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）に従った通信を行なうように構成されていてもよい。本例では、通信システム１は、時分割複信（ＴＤＤ；Ｔｉｍｅ  Ｄｉｖｉｓｉｏｎ  Ｄｕｐｌｅｘ）を行なう。
【００３１】
なお、交換局１０は、ＭＭＥ（Ｍｏｂｉｌｉｔｙ  Ｍａｎａｇｅｍｅｎｔ  Ｅｎｔｉｔｙ）とも表記される。更に、基地局２０は、ｅＮＢ（Ｅｖｏｌｖｅｄ  Ｎｏｄｅ  Ｂ）とも表記される。加えて、ユーザ端末３０は、ＵＥ（Ｕｓｅｒ  Ｅｑｕｉｐｍｅｎｔ）とも表記される。
【００３２】
交換局１０−１，…、及び、基地局２０−１，２０−２，２０−３，…は、通信網ＮＷを介して互いに通信可能に接続されている。本例では、交換局１０−１，…、及び、基地局２０−１，２０−２，２０−３，…のそれぞれは、有線通信可能に通信網ＮＷに接続されている。なお、交換局１０−１，…、及び、基地局２０−１，２０−２，２０−３，…の少なくとも１つは、無線通信可能に通信網ＮＷに接続されていてもよい。
【００３３】
各基地局２０は、少なくとも１つのセルを有する。本例では、セルは、マクロセル、マイクロセル、ナノセル、ピコセル、フェムトセル、ホームセル、又は、セクタセル等である。各基地局２０は、自局２０が有する（提供する）セル内に位置するユーザ端末３０と無線通信可能に構成される。
【００３４】
具体的には、各基地局２０は、自局２０が有するセルにおいて無線リソース（本例では、時間スロット及び周波数帯域）を提供する。各基地局２０は、自局２０が有するセル内に位置するユーザ端末３０と、当該セルにおいて提供されている無線リソースを用いることにより通信を行なう。これにより、各基地局２０は、ユーザ端末３０と交換局１０との間の通信を中継する。
【００３５】
通信システム１は、ユーザ端末３０が１つのセル内に位置している場合、当該セルを、当該ユーザ端末３０に対する接続セルとして用いる。また、通信システム１は、ユーザ端末３０が複数のセル内に位置している場合、当該複数のセルのうちの１つのセルを当該ユーザ端末３０に対する接続セルとして用いる。
【００３６】
接続セルは、ユーザ端末３０と基地局２０との間の通信を制御するための制御情報を授受するための無線リソースが提供されるセルである。換言すると、ユーザ端末３０に対して接続セルとして用いられるセルを有する基地局（接続基地局）２０は、当該接続セルにおいて、ユーザ端末３０との間の通信を制御するための制御情報を授受するための無線リソースを提供する。例えば、通信システム１は、通信品質が最も高いセルを接続セルとして用いる。
【００３７】
接続セルを有する基地局（接続基地局）２０は、所定のＣｏＭＰ条件が成立しているか否かを判定する。例えば、ＣｏＭＰ条件は、通信品質が所定の閾値よりも低いという条件である。なお、ＣｏＭＰ条件は、通信速度（単位時間あたりに通信されるデータの量）が所定の閾値よりも低いという条件であってもよい。また、ＣｏＭＰ条件は、ユーザ端末３０の位置を含むセルの数が所定の閾値よりも多いという条件であってもよい。また、ＣｏＭＰ条件は、ユーザ端末３０にて測定された、接続セルにおける無線信号の受信電力と、他の少なくとも１つのセルにおける無線信号の受信電力と、の差が所定の閾値よりも小さいという条件であってもよい。
【００３８】
接続基地局２０は、ユーザ端末３０が複数のセル内に位置している場合において、ＣｏＭＰ条件が成立しているとき、協調セルを選択し、選択された協調セルと接続セルとからなる複数のセルによりＣｏＭＰ通信を行なう。
【００３９】
ＣｏＭＰ通信は、協調セルと接続セルとからなる複数のセルにて協調制御を行なうことにより、無線信号をユーザ端末３０へ伝送する通信である。具体的には、通信システム１は、ＣｏＭＰ通信として、複数のセルにて同一のデータを表す無線信号を同一の無線リソースを用いてユーザ端末３０へ伝送するＪＴ（Ｊｏｉｎｔ  Ｔｒａｎｓｍｉｓｓｉｏｎ）を実行する。本例では、同一の無線リソースは、同一の時間スロット、及び、同一の周波数帯域を有する無線リソースである。
【００４０】
本例では、無線信号は、ビット列が、当該ビット列に対応付けられた、複素平面内の位置に対応する成分を有するように、変調を行なうことによって生成される。本例では、複素平面は、同相（Ｉｎ  Ｐｈａｓｅ）成分を表す第１の軸と、第１の軸に直交し且つ直交位相（Ｑｕａｄｒａｔｕｒｅ  Ｐｈａｓｅ）成分を表す第２の軸と、により構成される平面（ＩＱ平面）である。
【００４１】
更に、本例では、基地局２０は、各セルにおいて、プリコーディング行列に基づくプリコーディング処理を実行し、プリコーディング処理が実行された無線信号を複数のアンテナ（物理アンテナ）からユーザ端末３０へ伝送する。プリコーディング処理は、ユーザ端末３０に対する指向性送信(ビームフォーミング)を実行するように、データを表す１つの変調シンボルに対して、物理アンテナ毎の重み付けを行なう処理である。
【００４２】
また、基地局２０は、各セルにおいて、同一の周波数帯域にて複数のデータストリームを同時に送信する、空間多重（Ｓｐａｔｉａｌ  Ｍｕｌｔｉｐｌｅｘｉｎｇ）伝送、又は、ＭＩＭＯ多重伝送を、通信の状態に応じて行なうように構成されていてもよい。ＭＩＭＯは、Ｍｕｌｔｉｐｌｅ−Ｉｎｐｕｔ  ａｎｄ  Ｍｕｌｔｉｐｌｅ−Ｏｕｔｐｕｔの略記である。
【００４３】
図２に示したように、基地局２０は、無線通信装置２１と、有線通信装置２２と、無線信号処理装置２３と、デジタル信号処理装置２４と、を備える。
【００４４】
無線通信装置２１は、複数のアンテナ（物理アンテナ）を備える。無線通信装置２１が備えるアンテナの数は、物理アンテナ数とも表記される。無線通信装置２１は、アンテナを介して、基地局２０が有するセル内に位置するユーザ端末３０と無線通信を行なう。
有線通信装置２２は、通信ケーブルを接続可能な通信ポートを備える。有線通信装置２２は、通信ケーブルを介して通信網ＮＷに接続されることにより、通信網ＮＷに接続された他局（交換局１０及び基地局２０）と通信を行なう。
【００４５】
無線信号処理装置２３は、アンテナを介して受信された無線信号をベースバンド信号に変換し、変換後のベースバンド信号をデジタル信号処理装置２４へ出力する。本例では、無線信号は、無線周波数帯域を有するアナログ信号である。更に、無線信号処理装置２３は、デジタル信号処理装置２４により出力されたベースバンド信号を無線信号に変換し、変換後の無線信号をアンテナを介して外部空間へ送信する。本例では、無線信号処理装置２３は、ＬＳＩ（Ｌａｒｇｅ  Ｓｃａｌｅ  Ｉｎｔｅｇｒａｔｉｏｎ）により構成される。
【００４６】
デジタル信号処理装置２４は、無線信号処理装置２３により出力されたベースバンド信号に基づいてベースバンド処理を実行する。デジタル信号処理装置２４は、無線信号処理装置２３により出力されたベースバンド信号と、有線通信装置２２を介して他局から受信したデータと、に基づいてベースバンド処理を実行する。
【００４７】
デジタル信号処理装置２４は、ベースバンド処理の実行により生成されたデータを、有線通信装置２２を介して他局へ送信するとともに、ベースバンド処理の実行によりベースバンド信号を新たに生成する。デジタル信号処理装置２４は、生成されたベースバンド信号を無線信号処理装置２３へ出力する。
本例では、デジタル信号処理装置２４は、ＤＳＰ（Ｄｉｇｉｔａｌ  Ｓｉｇｎａｌ  Ｐｒｏｃｅｓｓｏｒ）により構成される。
【００４８】
図３に示したように、ユーザ端末３０は、無線通信装置３１と、無線信号処理装置３２と、デジタル信号処理装置３３と、入力装置３４と、出力装置３５と、を備える。
【００４９】
無線通信装置３１は、少なくとも１つのアンテナを備える。無線通信装置３１は、アンテナを介して、自端末３０の位置を含むセルを有する基地局２０と無線通信を行なう。
無線信号処理装置３２は、アンテナを介して受信された無線信号をベースバンド信号に変換し、変換後のベースバンド信号をデジタル信号処理装置３３へ出力する。更に、無線信号処理装置３２は、デジタル信号処理装置３３により出力されたベースバンド信号を無線信号に変換し、変換後の無線信号をアンテナを介して外部空間へ送信する。
【００５０】
デジタル信号処理装置３３は、無線信号処理装置３２により出力されたベースバンド信号に基づいてベースバンド処理を実行する。デジタル信号処理装置３３は、無線信号処理装置３２により出力されたベースバンド信号と、入力装置を介してユーザにより入力されたデータと、に基づいてベースバンド処理を実行する。
【００５１】
デジタル信号処理装置３３は、ベースバンド処理の実行により生成されたデータを出力装置を介して出力するとともに、ベースバンド処理の実行によりベースバンド信号を新たに生成する。デジタル信号処理装置３３は、生成されたベースバンド信号を無線信号処理装置３２へ出力する。
【００５２】
本例では、ユーザ端末３０は、入力装置３４を構成する、マイクロフォン、及び、キー式ボタンを備える。更に、ユーザ端末３０は、出力装置３５を構成するスピーカを備える。加えて、ユーザ端末３０は、入力装置３４及び出力装置３５の両方を構成するタッチパネル式のディスプレイを備える。
【００５３】
（機能）
次に、図４及び図５を参照しながら、通信システム１の機能について説明する。
図４は、１つのセルに対する基地局２０の機能を表す。即ち、基地局２０の機能は、基地局２０が有する少なくとも１つのセルのそれぞれに対して独立に、図４に示した機能を備える。ここでは、１つのセルに対する機能について説明するが、基地局２０が複数のセルを有する場合における、他のセルに対する機能についても同様に説明できる。
【００５４】
図４に示したように、基地局２０の機能は、ＤＬ参照信号生成部２０１と、ＤＬ制御信号生成部２０２と、ＤＬデータ信号生成部２０３と、物理チャネル多重部２０４と、ＩＦＦＴ部２０５と、を備える。更に、基地局２０の機能は、送信ＲＦ部２０６と、送信アンテナ部２０７と、受信アンテナ部２０８と、受信ＲＦ部２０９と、を備える。加えて、基地局２０の機能は、ＵＬチャネル推定部２１０と、プリコーディング選択部２１１と、ＵＬ制御信号復調部２１２と、協調ＴＰ決定部２１３と、プリコーディングタイプ決定部２１４と、スケジューラ部２１５と、を備える。
【００５５】
本例では、送信ＲＦ部２０６〜受信ＲＦ部２０９は、無線通信装置２１及び無線信号処理装置２３により実現される。また、ＤＬ参照信号生成部２０１〜ＩＦＦＴ部２０５、及び、ＵＬチャネル推定部２１０〜スケジューラ部２１５は、デジタル信号処理装置２４により実現される。
【００５６】
なお、プリコーディングタイプ決定部２１４は、選択手段の一例である。また、ＤＬデータ信号生成部２０３及びスケジューラ部２１５は、制御手段の一例である。また、プリコーディングタイプ決定部２１４、及び、スケジューラ部２１５は、送信手段の一例である。
【００５７】
ＤＬ参照信号生成部２０１は、ダウンリンク（下り）の参照信号（ＲＳ；Ｒｅｆｅｒｅｎｃｅ  Ｓｉｇｎａｌ）を生成する。ダウンリンクの参照信号は、ＤＬ参照信号とも表記され得る。なお、ＤＬ参照信号は、セルを識別するためのセル識別子を含んでいてもよい。
【００５８】
本例では、ＤＬ参照信号生成部２０１は、ＤＬ参照信号として、セルに固有の参照信号であるＣｅｌｌ−Ｓｐｅｃｉｆｉｃ  ＲＳ（ＣＲＳ）と、ＣＳＩを測定するために用いられる、セルに固有の参照信号であるＣｈａｎｎｅｌ  Ｓｔａｔｅ  Ｉｎｆｏｒｍａｔｉｏｎ  ＲＳ（ＣＳＩ  ＲＳ）と、データ信号を復調するために用いられる、ユーザ端末３０に固有の参照信号であるＵＥ−Ｓｐｅｃｉｆｉｃ  ＲＳと、を生成する。
【００５９】
ＤＬ制御信号生成部２０２は、ダウンリンクの制御信号（ＤＬ制御信号）を生成する。制御信号は、制御情報を表す信号である。制御情報は、ユーザ端末３０と基地局２０との間の通信を制御するための情報である。例えば、ＤＬ制御信号が表す制御情報は、ユーザ端末３０に割り当てた無線リソースを表す情報、及び、後述するＣｏＭＰ情報等を含む。
【００６０】
ＤＬデータ信号生成部２０３は、ダウンリンクのデータ信号（ＤＬデータ信号）を生成する。具体的には、ＤＬデータ信号生成部２０３は、他局から受信されたデータを表す基本データ信号に基づいてＤＬデータ信号を生成する。
【００６１】
本例では、ＤＬデータ信号生成部２０３は、基本データ信号に基づいて、１つの系列の変調シンボルを生成する。ＤＬデータ信号生成部２０３は、生成された変調シンボルを、通信の状態（例えば、通信環境等）に応じて設定されたデータストリーム数の系列の変調シンボル（暫定データ信号）に変換する（シリアル・パラレル変換を行なう）。なお、データストリーム数は、Ｔｒａｎｓｍｉｓｓｉｏｎ  Ｌａｙｅｒ数、又は、Ｔｒａｎｓｍｉｓｓｉｏｎ  Ｒａｎｋとも呼ばれる。
【００６２】
更に、ＤＬデータ信号生成部２０３は、データストリーム数の系列の変調シンボルに対して、プリコーディング処理を実行することにより、自局２０が備えるアンテナの数に対応する数の系列の変調シンボル（ＤＬデータ信号）を生成する。
【００６３】
なお、本例では、基地局２０は、基地局２０が有するセル（自セル）を接続セルとして用いるユーザ端末３０に対して、ＣｏＭＰ条件が成立している場合、当該ユーザ端末３０が宛先であるＤＬデータ信号を、ＣｏＭＰ通信により伝送すると決定する。一方、基地局２０は、自セルを接続セルとして用いるユーザ端末３０に対して、ＣｏＭＰ条件が成立していない場合、当該ユーザ端末３０が宛先であるＤＬデータ信号を、ＣｏＭＰ通信により伝送しないと決定する。
【００６４】
更に、基地局２０は、自セルを協調セルとして用いるユーザ端末３０が接続セルとして用いるセルを有する基地局（接続基地局）２０からＣｏＭＰ情報を受信した場合も、当該ユーザ端末３０が宛先であるＤＬデータ信号をＣｏＭＰ通信により伝送すると決定する。即ち、この場合、ＣｏＭＰ情報は、当該接続基地局２０が、当該ユーザ端末３０に対して、ＣｏＭＰ条件が成立すると判定したことにより、当該接続基地局２０により送信されている。
【００６５】
具体的には、ＤＬデータ信号生成部２０３は、プリコーディング行列と、位相調整量と、に基づいてＤＬデータ信号を生成する。本例では、ＤＬデータ信号は、スケジューラ部２１５により出力されたデータを表す信号である。プリコーディング行列は、生成されるＤＬデータ信号の宛先となるユーザ端末３０に対して、プリコーディング選択部２１１により選択される。位相調整量は、無線信号の複素平面における位相の量を表す。位相調整量は、生成されるＤＬデータ信号の宛先となるユーザ端末３０により送信され、且つ、ＵＬ制御信号復調部２１２により復調されたＵＬ制御信号に含まれる。
【００６６】
ＤＬデータ信号生成部２０３は、自セルを接続セルとして用いるユーザ端末３０が宛先であるＤＬデータ信号を生成する場合、数式１に示したように、位相の調整を伴うプリコーディング処理を行なうことにより、ＤＬデータ信号を生成する。これにより、無線信号の複素平面における位相が調整される。即ち、接続セルにおいて送信される無線信号の複素平面における位相である接続セル位相が調整される。
【００６７】
なお、接続セルにおいて送信される無線信号と協調セルにおいて送信される無線信号とは、外部空間において合成された後に、ユーザ端末３０により受信される。従って、ユーザ端末３０により受信される、合成後の無線信号の受信電力がより大きくなるように、基準協調セルにおいて送信される無線信号を基準として、接続セルにおいて送信される無線信号の複素平面における位相が調整される、と言える。
【数１】
2014174584.tif 000003
【００６８】
ここで、ｙは、物理アンテナ数に対応する数の変調シンボルにより構成される列ベクトルを表すＤＬデータ信号である。ｘは、通信の状態に応じて設定されたデータストリーム数の変調シンボルにより構成される列ベクトルを表す暫定データ信号である。Ｗは、プリコーディング行列である。ｊは、虚数である。φは、位相調整量である。
このように、ＤＬデータ信号生成部２０３は、受信されたＵＬ制御情報に含まれる位相調整量に基づいて、基準協調セルにおいて送信される無線信号を基準として、接続セルにおいて送信される無線信号の複素平面における位相が調整されるように、ＣｏＭＰ通信の実行を制御する、と言える。
【００６９】
一方、ＤＬデータ信号生成部２０３は、自セルを協調セルとして用いるユーザ端末３０が宛先であるＤＬデータ信号を生成する場合、位相の調整を伴わないプリコーディング処理を行なうことにより、ＤＬデータ信号を生成する。即ち、この場合、無線信号の複素平面における位相が調整されない。
【数２】
2014174584.tif 000004
【００７０】
物理チャネル多重部２０４は、ＤＬ参照信号生成部２０１により生成されたＤＬ参照信号と、ＤＬ制御信号生成部２０２により生成されたＤＬ制御信号と、ＤＬデータ信号生成部２０３により生成されたＤＬデータ信号と、を多重する。物理チャネル多重部２０４は、多重された信号（ベースバンド信号）を出力する。
【００７１】
ＩＦＦＴ部２０５は、物理チャネル多重部２０４により出力されたベースバンド信号に対して、ＩＦＦＴ（Ｉｎｖｅｒｓｅ  Ｆａｓｔ  Ｆｏｕｒｉｅｒ  Ｔｒａｎｓｆｏｒｍ）処理を実行することにより、ベースバンド信号を周波数領域から時間領域へ変換する。
【００７２】
送信ＲＦ部２０６は、ＩＦＦＴ部２０５により変換されたベースバンド信号を無線信号に変換し、変換後の無線信号を送信アンテナ部２０７へ出力する。
送信アンテナ部２０７は、送信ＲＦ部２０６により出力された無線信号をアンテナを介して外部空間へ送信する。
【００７３】
受信アンテナ部２０８は、アンテナを介して外部空間の無線信号を受信し、受信された無線信号を受信ＲＦ部２０９へ出力する。
受信ＲＦ部２０９は、受信アンテナ部２０８により出力された無線信号をベースバンド信号に変換する。
【００７４】
ＵＬチャネル推定部２１０は、ユーザ端末３０毎に、受信ＲＦ部２０９により出力されたベースバンド信号に含まれるＵＬ参照信号に基づいて、アップリンクのチャネルの状態（ＵＬチャネル状態）を推定する。具体的には、ＵＬチャネル推定部２１０は、ユーザ端末３０と基地局２０との間のアップリンクのチャネル（通信路、又は、伝搬路）における伝達関数を推定することによりＵＬチャネル状態を推定する。
【００７５】
なお、上述したように、本例では、通信システム１は、ダウンリンク（ＤＬ）の信号及びアップリンク（ＵＬ）の信号を多重するために、時分割複信（ＴＤＤ）を行なう。従って、基地局２０及びユーザ端末３０の間における、ＤＬ及びＵＬのチャネルの状態が対称性を有することが推定される。そこで、通信システム１は、上記推定に基づいて、ＤＬの信号を制御するためにＵＬチャネル状態を用いる。
【００７６】
プリコーディング選択部２１１は、ユーザ端末３０毎に、プリコーディングタイプと、ＵＬチャネル推定部２１０により推定されたＵＬチャネル状態（ＵＬチャネル推定値）と、に基づいてプリコーディング行列を選択する。本例では、プリコーディング選択部２１１は、予め記憶されているプリコーディング行列の候補の中から、ユーザ端末３０毎に、当該ユーザ端末３０に対して決定されたプリコーディングタイプに従って選択する。
【００７７】
プリコーディングタイプは、自セルを接続セルとして用いるユーザ端末３０に対して、自局２０のプリコーディングタイプ決定部２１４により決定される。また、プリコーディングタイプは、自セルを協調セルとして用いるユーザ端末３０に対して、当該ユーザ端末３０が接続セルとして用いるセルを有する基地局（接続基地局）２０により決定される。即ち、接続基地局２０が他局である場合、プリコーディングタイプは、当該他局から受信される。
【００７８】
ＵＬ制御信号復調部２１２は、受信された無線信号からＵＬ制御信号を復調する。
協調ＴＰ決定部２１３は、自セルを接続セルとして用いるユーザ端末３０のそれぞれに対して、ＲＳＲＰ情報に基づいて複数の協調セル（協調ＴＰ（Ｔｒａｎｓｍｉｓｓｉｏｎ  Ｐｏｉｎｔ））を決定する。ＲＳＲＰ情報は、決定の対象となるユーザ端末３０により送信され、且つ、ＵＬ制御信号復調部２１２により復調されたＵＬ制御信号に含まれる。ＲＳＲＰ情報は、セルを識別するためのセル識別子と、当該セルにおける参照信号の受信電力（ＲＳＲＰ（Ｒｅｆｅｒｅｎｃｅ  Ｓｉｇｎａｌ  Ｒｅｃｅｉｖｅｄ  Ｐｏｗｅｒ））と、を対応付けた情報である。
【００７９】
本例では、協調ＴＰ決定部２１３は、ＲＳＲＰが予め設定された閾値よりも大きいセルを、協調セルとして決定する。なお、協調ＴＰ決定部２１３は、予め設定された協調セル数のセルを協調セルとして決定するように構成されていてもよい。この場合、協調ＴＰ決定部２１３は、ＲＳＲＰが大きいセルほど優先して協調セルとして決定することが好適である。
【００８０】
協調ＴＰ決定部２１３は、自セルを接続セルとして用いるユーザ端末３０のそれぞれに対して、決定された協調セルを表す協調ＴＰ情報を生成する。本例では、協調ＴＰ情報は、協調セルを識別するためのセル識別子と、協調セルの中で基準協調セルを特定するための情報と、を含む。
【００８１】
プリコーディングタイプ決定部２１４は、自セルを接続セルとして用いるユーザ端末３０のそれぞれに対して、ＲＳＲＰ情報と協調ＴＰ情報とに基づいて、複数の協調セルの中から基準協調セルを選択する。本例では、プリコーディングタイプ決定部２１４は、基準協調セルとして、予め設定された基準協調セル数（ここでは、１つ）の協調セルのみを選択する。
【００８２】
即ち、プリコーディングタイプ決定部２１４は、決定された協調セルの数が、基準協調セル数よりも多い場合、決定された協調セルの一部の協調セルのみを基準協調セルとして選択する。一方、プリコーディングタイプ決定部２１４は、決定された協調セルの数が、基準協調セル数と等しい場合、決定された協調セルのすべてを基準協調セルとして選択する。
【００８３】
基準協調セルは、接続セル位相を調整するための基準となる協調セルである。接続セル位相は、接続セルにおいて送信される無線信号の複素平面における位相である。
ＲＳＲＰ情報は、選択の対象となるユーザ端末３０により送信され、且つ、ＵＬ制御信号復調部２１２により復調されたＵＬ制御信号に含まれる。協調ＴＰ情報は、選択の対象となるユーザ端末３０に対して、協調ＴＰ決定部２１３により生成される。
【００８４】
具体的には、プリコーディングタイプ決定部２１４は、ＲＳＲＰが大きい協調セルほど優先して、基準協調セルとして選択する。即ち、本例では、プリコーディングタイプ決定部２１４は、基準協調セルとして、ＲＳＲＰが最大である協調セルを選択する。
【００８５】
プリコーディングタイプ決定部２１４は、自セルを接続セルとして用いるユーザ端末３０のそれぞれに対して、ＲＳＲＰ情報と協調ＴＰ情報とに基づいて、接続セル及び協調セルからなる複数のセルのそれぞれに対するプリコーディングタイプを決定する。ＲＳＲＰ情報は、決定の対象となるユーザ端末３０により送信され、且つ、ＵＬ制御信号復調部２１２により復調されたＵＬ制御信号に含まれる。協調ＴＰ情報は、決定の対象となるユーザ端末３０に対して、協調ＴＰ決定部２１３により生成される。
【００８６】
プリコーディングタイプ決定部２１４は、自セルを接続セルとして用いるユーザ端末３０のそれぞれに対して、セルを識別するためのセル識別子と、当該セルに対して決定されたプリコーディングタイプと、を対応付けたプリコーディングタイプ情報を生成する。
【００８７】
プリコーディングタイプは、プリコーディング行列を選択するために用いる方式である。本例では、プリコーディングタイプは、適応方式（Ａｄａｐｔｉｖｅ  Ｔｙｐｅ）、又は、非適応方式（Ｎｏｎ  Ａｄａｐｔｉｖｅ  Ｔｙｐｅ）である。
【００８８】
適応方式は、セルにおける通信の状態に応じてプリコーディング行列を変更する方式である。非適応方式は、セルにおける通信の状態に応じてプリコーディング行列を変更しない方式である。本例では、非適応方式は、所定の変更周期が経過する毎に、予め定められた複数のプリコーディング行列のいずれかに変更するランダム方式である。なお、非適応方式は、予め定められた１つのプリコーディング行列を変更することなく用いる方式であってもよい。
【００８９】
本例では、プリコーディングタイプ決定部２１４は、接続セル及び基準協調セルのそれぞれに対するプリコーディングタイプとして適応方式を決定する。プリコーディングタイプ決定部２１４は、非基準協調セルに対するプリコーディングタイプとして非適応方式を決定する。非基準協調セルは、複数の協調セルのうちの、基準協調セル以外の協調セルである。
【００９０】
スケジューラ部２１５は、自セルを接続セルとして用いるユーザ端末３０のそれぞれに対して、ＣｏＭＰ条件が成立しているか否かを判定する。スケジューラ部２１５は、ＣｏＭＰ条件が成立しているユーザ端末３０のそれぞれに対して、ＣｏＭＰ情報が当該ユーザ端末３０に伝達されるように、ＣｏＭＰ情報をＤＬ制御信号生成部２０２へ出力する。
【００９１】
ＣｏＭＰ情報は、協調ＴＰ決定部２１３により生成された協調ＴＰ情報と、プリコーディングタイプ決定部２１４により生成されたプリコーディングタイプ情報と、を含む。更に、本例では、ＣｏＭＰ情報は、ＣｏＭＰ通信が実行されるタイミング（データ送信タイミング）を表すデータ送信タイミング情報と、ＣｏＭＰ通信を実行するために用いられる無線リソースを表す無線リソース情報と、を含む。
【００９２】
更に、スケジューラ部２１５は、ＣｏＭＰ条件が成立しているユーザ端末３０のそれぞれに対して、当該ユーザ端末３０が協調セルとして用いるセルを有する基地局（協調基地局）２０のそれぞれへ、ＣｏＭＰ情報を送信する。
【００９３】
本例では、ＣｏＭＰ情報が含むプリコーディングタイプ情報は、基準協調セルを有する協調基地局２０へ、適応方式を当該基準協調セルにおいて用いるように指示する方式指示の一例である。また、ＣｏＭＰ情報が含むプリコーディングタイプ情報は、非基準協調セルを有する協調基地局２０へ、非適応方式を当該非基準協調セルにおいて用いるように指示する方式指示の一例である。
【００９４】
なお、本例では、ＣｏＭＰ通信によりユーザ端末３０へ伝送されるデータは、ＣｏＭＰ情報とともに接続基地局２０から協調基地局２０へ伝送される。なお、ＣｏＭＰ通信によりユーザ端末３０へ伝送されるデータは、交換局１０から協調基地局２０へ直接に伝送されてもよい。
【００９５】
スケジューラ部２１５は、自セルを協調セルとして用いるユーザ端末３０のそれぞれに対して、当該ユーザ端末３０が接続セルとして用いるセルを有する基地局（接続基地局）２０からＣｏＭＰ情報を受信する。
【００９６】
図５に示したように、ユーザ端末３０の機能は、ＵＬ参照信号生成部３０１と、ＵＬ制御信号生成部３０２と、物理チャネル多重部３０３と、送信ＲＦ部３０４と、送信アンテナ部３０５と、受信アンテナ部３０６と、受信ＲＦ部３０７と、を備える。更に、ユーザ端末３０の機能は、ＦＦＴ部３０８と、ＤＬデータ信号復調部３０９と、ＤＬ制御信号復調部３１０と、ＤＬチャネル推定部３１１と、プリコーディング選択部３１２と、位相調整量算出部３１３と、ＲＳＲＰ算出部３１４と、を備える。
【００９７】
本例では、送信ＲＦ部３０４〜受信ＲＦ部３０７は、無線通信装置３１及び無線信号処理装置３２により実現される。また、ＵＬ参照信号生成部３０１〜物理チャネル多重部３０３、及び、ＦＦＴ部３０８〜ＲＳＲＰ算出部３１４は、デジタル信号処理装置３３により実現される。
【００９８】
なお、ＲＳＲＰ算出部３１４は、通信状態取得手段の一例である。また、位相調整量算出部３１３は、調整パラメータ取得手段の一例である。また、ＵＬ制御信号生成部３０２、物理チャネル多重部３０３、送信ＲＦ部３０４、及び、送信アンテナ部３０５は、送信手段の一例である。
【００９９】
ＵＬ参照信号生成部３０１は、アップリンク（上り）の参照信号を生成する。アップリンクの参照信号は、ＵＬ参照信号とも表記され得る。本例では、ＵＬ参照信号は、Ｓｏｕｎｄｉｎｇ  ＲＳ（ＳＲＳ）である。
【０１００】
ＵＬ制御信号生成部３０２は、アップリンクの制御信号（ＵＬ制御信号）を生成する。例えば、ＵＬ制御信号が表す制御情報は、ＲＳＲＰ情報、位相調整量、ダウンリンクの送信に対する受信の確認（ＡＣＫ、又は、ＮＡＣＫ）、ダウンリンクの受信の品質、及び、無線リソースの割り当ての要求等を含む。ＡＣＫは、Ａｃｋｎｏｗｌｅｄｇｅｍｅｎｔの略記である。ＮＡＣＫは、Ｎｅｇａｔｉｖｅ  ＡＣＫの略記である。
【０１０１】
物理チャネル多重部３０３は、ＵＬ参照信号生成部３０１により生成されたＵＬ参照信号と、ＵＬ制御信号生成部３０２により生成されたＵＬ制御信号と、を多重する。物理チャネル多重部３０３は、多重された信号（ベースバンド信号）を出力する。
【０１０２】
送信ＲＦ部３０４は、物理チャネル多重部３０３により出力されたベースバンド信号を無線信号に変換し、変換後の無線信号を送信アンテナ部３０５へ出力する。
送信アンテナ部３０５は、送信ＲＦ部３０４により出力された無線信号をアンテナを介して外部空間へ送信する。
【０１０３】
受信アンテナ部３０６は、アンテナを介して外部空間の無線信号を受信し、受信された無線信号を受信ＲＦ部３０７へ出力する。
受信ＲＦ部３０７は、受信アンテナ部３０６により出力された無線信号をベースバンド信号に変換する。
【０１０４】
ＦＦＴ部３０８は、受信ＲＦ部３０７により変換されたベースバンド信号に対して、ＦＦＴ（Ｆａｓｔ  Ｆｏｕｒｉｅｒ  Ｔｒａｎｓｆｏｒｍ）処理を実行することにより、ベースバンド信号を時間領域から周波数領域へ変換する。
【０１０５】
ＤＬデータ信号復調部３０９は、ＦＦＴ部３０８により変換されたベースバンド信号からＤＬデータ信号を復調する。
ＤＬ制御信号復調部３１０は、ＦＦＴ部３０８により変換されたベースバンド信号からＤＬ制御信号を復調する。
【０１０６】
ＤＬチャネル推定部３１１は、自端末３０の位置を含むセルのそれぞれに対して、ＦＦＴ部３０８により変換されたベースバンド信号に含まれるＤＬ参照信号に基づいて、ダウンリンクのチャネルの状態（ＤＬチャネル状態）を推定する。具体的には、ＤＬチャネル推定部３１１は、セル毎に、自端末（ユーザ端末）３０と基地局２０との間のダウンリンクのチャネルにおける伝達関数を推定することによりＤＬチャネル状態を推定する。
【０１０７】
プリコーディング選択部３１２は、ＤＬ制御信号復調部３１０により復調されたＤＬ制御信号がＣｏＭＰ情報を含む場合、当該ＣｏＭＰ情報に基づいてプリコーディング行列を選択する。具体的には、プリコーディング選択部３１２は、接続セル及び協調セルからなる複数のセルのそれぞれに対して、当該セルと対応付けられたプリコーディングタイプと、ＤＬチャネル状態（ＤＬチャネル推定値）と、に基づいてプリコーディング行列を選択する。プリコーディングタイプは、ＣｏＭＰ情報が備えるプリコーディングタイプ情報により表される。ＤＬチャネル状態は、ＤＬチャネル推定部３１１により推定される。
【０１０８】
プリコーディング選択部３１２は、プリコーディング選択部２１１と同じアルゴリズムに従ってプリコーディング行列を選択する。即ち、プリコーディングタイプが同一であり、且つ、ＵＬチャネル推定値とＤＬチャネル推定値とが一致している場合、プリコーディング選択部２１１及びプリコーディング選択部３１２は、同一のプリコーディング行列を選択する。
【０１０９】
位相調整量算出部３１３は、ＤＬ制御信号復調部３１０により復調されたＤＬ制御信号がＣｏＭＰ情報を含む場合、当該ＣｏＭＰ情報と、プリコーディング選択部３１２により選択されたプリコーディング行列と、に基づいて、位相調整量を算出（取得）する。位相調整量は、接続セル位相を調整するための調整パラメータの一例である。本例では、位相調整量算出部３１３は、数式３に基づいて位相調整量を算出する。
【数３】
2014174584.tif 000005
【０１１０】
φ０は、位相調整量である。ｃａｐａｃｉｔｙは、通信路容量を算出する関数である。通信路容量は、ＣｏＭＰ通信において、単位時間当たりに伝送可能な情報の量の上限である。Ｈ０は、接続セルに対して推定されたＤＬチャネル状態である。Ｗ０は、接続セルに対して選択されたプリコーディング行列である。Ｈ１は、基準協調セルに対して推定されたＤＬチャネル状態である。Ｗ１は、基準協調セルに対して選択されたプリコーディング行列である。
【０１１１】
φ０は、位相調整量である。ｃａｐａｃｉｔｙは、通信路容量を算出する関数である。通信路容量は、ＣｏＭＰ通信において、単位時間当たりに伝送可能な情報の量の上限である。Ｈ０は、接続セルに対して推定されたＤＬチャネル状態を表す行列である。Ｗ０は、接続セルに対して選択されたプリコーディング行列である。Ｈ１は、基準協調セルに対して推定されたＤＬチャネル状態を表す行列である。Ｗ１は、基準協調セルに対して選択されたプリコーディング行列である。
【０１１２】
ところで、チャネル（無線チャネル）は、基地局２０が備えるアンテナと、ユーザ端末３０が備えるアンテナと、の任意の組み合わせのそれぞれに対して存在する。従って、例えば、基地局２０がＭ個のアンテナを備え、且つ、ユーザ端末３０がＮ個のアンテナを備える場合、Ｍ×Ｎ個の無線チャネルが存在する。このため、Ｈ０、及び、Ｈ１のそれぞれは、Ｍ×Ｎの行列として表現される。
【０１１３】
即ち、位相調整量算出部３１３は、基準協調セルにおいて受信された無線信号と、接続セルにおいて受信された無線信号と、に基づいて位相調整量を取得する、と言える。
更に、位相調整量算出部３１３は、接続セル及び基準協調セルのみによりＣｏＭＰ通信が行なわれた場合において当該ＣｏＭＰ通信における通信路容量を最大にする位相調整量を取得する、と言える。
位相調整量算出部３１３は、算出された位相調整量をＵＬ制御信号生成部３０２へ出力する。
【０１１４】
ＲＳＲＰ算出部３１４は、自端末３０の位置を含むセルのそれぞれに対して、ＤＬ制御信号とＤＬチャネル状態とに基づいて、ＲＳＲＰを算出（取得）する。ＲＳＲＰは、セルにおける通信の状態を表す通信状態パラメータの一例である。ＤＬ制御信号は、算出の対象となるセルにおける無線信号に基づいてＤＬ制御信号復調部３１０により復調される。ＤＬチャネル状態は、算出の対象となるセルにおける無線信号に基づいてＤＬチャネル推定部３１１により推定される。
【０１１５】
ＲＳＲＰ算出部３１４は、自端末３０の位置を含むセルのそれぞれに対して、当該セルを識別するためのセル識別子と、当該セルに対して算出されたＲＳＲＰと、を対応付けたＲＳＲＰ情報を生成する。ＲＳＲＰ算出部３１４は、生成されたＲＳＲＰ情報をＵＬ制御信号生成部３０２へ出力する。
【０１１６】
なお、本例では、通信システム１は、通信状態パラメータとして、ＲＳＲＰを用いていたが、ＳＩＮＲ、パスロス（Ｐａｔｈ  Ｌｏｓｓ）、ＣＱＩ、ＲＳＲＱ、又は、基地局２０が備えるアンテナの数（アンテナ数）等を用いてもよい。ＳＩＮＲは、Ｓｉｇｎａｌ  ｔｏ  Ｉｎｔｅｒｆｅｒｅｎｃｅ  ｐｌｕｓ  Ｎｏｉｓｅ  Ｐｏｗｅｒ  Ｒａｔｉｏの略記である。ＣＱＩは、Ｃｈａｎｎｅｌ  Ｑｕａｌｉｔｙ  Ｉｎｄｉｃａｔｏｒの略記である。ＲＳＲＱは、Ｒｅｆｅｒｅｎｃｅ  Ｓｉｇｎａｌ  Ｒｅｃｅｉｖｅｄ  Ｑｕａｌｉｔｙの略記である。通信システム１は、通信状態パラメータとして、ＲＳＲＰ、ＳＩＮＲ、パスロス、ＣＱＩ、ＲＳＲＱ、及び、アンテナ数の任意の組み合わせを用いてもよい。
【０１１７】
（作動）
次に、上述した通信システム１の作動について、図６乃至図１０を参照しながら説明する。なお、ここでは、１つのユーザ端末＃１に対する作動について説明する。ところで、通信システム１は、他のユーザ端末３０に対しても同様に作動する。
【０１１８】
本例では、ユーザ端末＃１の位置が、基地局＃１が有するセル、基地局＃２が有するセル、及び、基地局＃３が有するセルのそれぞれに含まれるとともに、基地局＃１が有するセルをユーザ端末＃１が接続セルとして用いる場合を想定する。更に、ＣｏＭＰ条件が成立する場合を想定する。
【０１１９】
各基地局２０は、所定のＤＬ参照信号送信周期が経過する毎に、ＤＬ参照信号を送信する。
同様に、各ユーザ端末３０は、所定のＵＬ参照信号送信周期が経過する毎に、ＵＬ参照信号を送信する。
【０１２０】
更に、ユーザ端末＃１は、図７にフローチャートにより示した位相調整量算出処理を実行する。具体的には、ユーザ端末＃１は、位相調整量算出処理の実行を開始すると、自端末３０−１を含むセルのそれぞれ（各セル）において、ＤＬ参照信号を受信するまで待機する（図７のステップＳ２０１）。
【０１２１】
その後、ユーザ端末＃１は、各セルにおいてＤＬ参照信号を受信する（図６のステップＳ１０１〜Ｓ１０３）。これにより、ユーザ端末＃１は、「Ｙｅｓ」と判定して、各セルにおけるＲＳＲＰを算出する（図６のステップＳ１０４，図７のステップＳ２０２）。次いで、ユーザ端末＃１は、ＲＳＲＰ情報を生成し、生成されたＲＳＲＰ情報を接続基地局＃１へ送信する（図６のステップＳ１０５，図７のステップＳ２０３）。そして、ユーザ端末＃１は、接続基地局＃１からＣｏＭＰ情報を受信するまで待機する（図７のステップＳ２０４）。
【０１２２】
一方、接続基地局＃１は、図８にフローチャートにより示した接続セルＣｏＭＰ通信処理を実行する。具体的には、接続基地局＃１は、接続セルＣｏＭＰ通信処理の実行を開始すると、ＲＳＲＰ情報を受信するまで待機する（図８のステップＳ３０１）。そして、接続基地局＃１は、ＲＳＲＰ情報を受信すると、「Ｙｅｓ」と判定して、協調セルを決定する。本例では、基地局＃２が有するセル、及び、基地局＃３が有するセルのそれぞれが協調セルとして決定される場合を想定する。
【０１２３】
更に、接続基地局＃１は、決定された協調セルの中から基準協調セルを選択する。本例では、基地局＃２が有するセルが基準協調セルとして選択される場合を想定する。加えて、接続基地局＃１は、接続セル、及び、協調セルのそれぞれに対してプリコーディングタイプを決定する（図６のステップＳ１０６，図８のステップＳ３０２）。
【０１２４】
上述したように、本例では、接続基地局＃１は、接続セル（自局２０−１が有するセル）、及び、基準協調セル（基地局＃２が有するセル）のそれぞれに対するプリコーディングタイプとして適応方式を決定する。更に、接続基地局＃１は、非基準協調セル（基地局＃３が有するセル）に対するプリコーディングタイプとして非適応方式を決定する。
【０１２５】
そして、接続基地局＃１は、協調セル、基準協調セル及びプリコーディングのそれぞれを表す情報を含むＣｏＭＰ情報を、ユーザ端末＃１及び協調基地局（基地局＃２及び基地局＃３）のそれぞれへ送信する（図６のステップＳ１０７，図８のステップＳ３０３）。次いで、接続基地局＃１は、ＵＬ参照信号を受信するまで待機する（図８のステップＳ３０４）。
【０１２６】
一方、ユーザ端末＃１は、ＣｏＭＰ情報を受信すると、図７のステップＳ２０４にて「Ｙｅｓ」と判定して、ＤＬ参照信号を受信するまで待機する（図７のステップＳ２０５）。
【０１２７】
また、協調基地局＃２は、図９にフローチャートにより示した協調セルＣｏＭＰ通信処理を実行する。具体的には、協調基地局＃２は、協調セルＣｏＭＰ通信処理の実行を開始すると、ＣｏＭＰ情報を受信するまで待機する（図９のステップＳ４０１）。そして、協調基地局＃２は、接続基地局＃１からＣｏＭＰ情報を受信すると、「Ｙｅｓ」と判定して、自セルに対して決定されたプリコーディングタイプが適応方式であるか否かを判定する（図９のステップＳ４０２）。
【０１２８】
上記仮定に従えば、協調基地局＃２は、「Ｙｅｓ」と判定してＵＬ参照信号を受信するまで待機する（図９のステップＳ４０３）。
また、協調基地局＃３も、協調基地局＃２と同様に、図９に示した協調セルＣｏＭＰ通信処理を実行する。協調基地局＃３は、自セルに対して決定されたプリコーディングタイプが非適応方式であるため、図９のステップＳ４０２にて「Ｎｏ」と判定して図９のステップＳ４０５へ進む。
【０１２９】
そして、協調基地局＃３は、非適応方式に従ってプリコーディング行列を選択する（図６のステップＳ１１７，図９のステップＳ４０５）。そして、協調基地局＃３は、ＣｏＭＰ情報に含まれるデータ送信タイミング情報が表すタイミング（データ送信タイミング）が到来したか否かを判定する（図９のステップＳ４０６）。データ送信タイミングが到来していない場合、協調基地局＃３は、ステップＳ４０２へ戻り、ステップＳ４０２〜Ｓ４０６の処理を繰り返し実行する。
【０１３０】
その後、ユーザ端末＃１は、再び、各セルにおいてＤＬ参照信号を受信する（図６のステップＳ１０８〜Ｓ１１０）。これにより、ユーザ端末＃１は、図７のステップＳ２０５にて「Ｙｅｓ」と判定して、各セルにおけるＤＬチャネル状態を推定する（図７のステップＳ２０６）。
【０１３１】
次いで、ユーザ端末＃１は、各セルに対して、ＤＬチャネル状態と、ＣｏＭＰ情報に含まれるプリコーディングタイプ情報が表すプリコーディングタイプと、に基づいてプリコーディング行列を選択する（図６のステップＳ１１１，図７のステップＳ２０７）。
【０１３２】
そして、ユーザ端末＃１は、接続セルに対する、プリコーディング行列及びＤＬチャネル状態と、基準協調セルに対する、プリコーディング行列及びＤＬチャネル状態と、に基づいて、位相調整量を算出する（図６のステップＳ１１２，図７のステップＳ２０８）。次いで、ユーザ端末＃１は、算出された位相調整量を接続基地局＃１へ送信する（図６のステップＳ１１３，図７のステップＳ２０９）。
【０１３３】
その後、ユーザ端末＃１は、ＣｏＭＰ通信によるデータ信号の受信が完了するまで、図７のステップＳ２０５〜Ｓ２１０の処理を繰り返し実行する。そして、ユーザ端末＃１は、ＣｏＭＰ通信によるデータ信号の受信が完了すると、図７のステップＳ２１０にて「Ｙｅｓ」と判定して位相調整量算出処理を終了する。
【０１３４】
一方、接続基地局＃１は、図１０にフローチャートにより示した位相調整量更新処理を実行する。具体的には、接続基地局＃１は、位相調整量更新処理の実行を開始すると、位相調整量を受信するまで待機する（図１０のステップＳ５０１）。そして、接続基地局＃１は、ユーザ端末＃１から位相調整量を受信すると、「Ｙｅｓ」と判定して、記憶している位相調整量を、受信された位相調整量（即ち、最新の位相調整量）に更新する（図１０のステップＳ５０２）。その後、接続基地局＃１は、ステップＳ５０１へ戻り、ステップＳ５０１〜Ｓ５０２の処理を繰り返し実行する。
【０１３５】
その後、ユーザ端末＃１がＵＬ参照信号を送信する（図６のステップＳ１１４）と、接続基地局＃１及び協調基地局＃２のそれぞれは、ユーザ端末＃１からＵＬ参照信号を受信する。
これにより、接続基地局＃１は、図８のステップＳ３０４にて「Ｙｅｓ」と判定して、接続セルにおけるＵＬチャネル状態を推定する（図８のステップＳ３０５）。
【０１３６】
そして、接続基地局＃１は、推定されたＵＬチャネル状態と、自セルに対して決定したプリコーディングタイプ（即ち、適応方式）と、に基づいてプリコーディング行列を選択する（図６のステップＳ１１５，図８のステップＳ３０６）。次いで、接続基地局＃１は、データ送信タイミングが到来したか否かを判定する（図８のステップＳ３０７）。データ送信タイミングが到来していない場合、接続基地局＃１は、ステップＳ３０４へ戻り、ステップＳ３０４〜Ｓ３０７の処理を繰り返し実行する。
【０１３７】
一方、協調基地局＃２は、図９のステップＳ４０３にて「Ｙｅｓ」と判定して、基準協調セルにおけるＵＬチャネル状態を推定する（図９のステップＳ４０４）。そして、協調基地局＃２は、推定されたＵＬチャネル状態と、自セルに対して決定されたプリコーディングタイプ（即ち、適応方式）と、に基づいてプリコーディング行列を選択する（図６のステップＳ１１６，図９のステップＳ４０５）。
【０１３８】
次いで、協調基地局＃２は、データ送信タイミングが到来したか否かを判定する（図９のステップＳ４０６）。データ送信タイミングが到来していない場合、協調基地局＃２は、ステップＳ４０２へ戻り、ステップＳ４０２〜Ｓ４０６の処理を繰り返し実行する。
【０１３９】
その後、データ送信タイミングが到来すると、接続基地局＃１は、図８のステップＳ３０７にて「Ｙｅｓ」と判定する。そして、接続基地局＃１は、記憶されている最新の位相調整量に基づく位相の調整を伴うプリコーディング処理を行なうことにより生成されたＤＬデータ信号をユーザ端末＃１へ送信する（図６のステップＳ１１８，図８のステップＳ３０８）。その後、接続基地局＃１は、図８の接続セルＣｏＭＰ通信処理を終了する。
【０１４０】
また、データ送信タイミングが到来すると、協調基地局＃２は、図９のステップＳ４０６にて「Ｙｅｓ」と判定する。そして、協調基地局＃２は、位相の調整を伴わないプリコーディング処理を行なうことにより生成されたＤＬデータ信号をユーザ端末＃１へ送信する（図６のステップＳ１１９，図９のステップＳ４０７）。
【０１４１】
同様に、データ送信タイミングが到来すると、協調基地局＃３は、図９のステップＳ４０６にて「Ｙｅｓ」と判定する。そして、協調基地局＃３は、位相の調整を伴わないプリコーディング処理を行なうことにより生成されたＤＬデータ信号をユーザ端末＃１へ送信する（図６のステップＳ１２０，図９のステップＳ４０７）。
【０１４２】
これにより、ユーザ端末＃１は、基地局＃１、基地局＃２、及び、基地局＃３が、ＣｏＭＰ通信によって送信したＤＬデータ信号を受信する。
なお、通信システム１は、ＣｏＭＰ条件が成立している間、ＣｏＭＰ通信によるＤＬデータ信号の送信を繰り返し実行するように構成されることが好適である。
【０１４３】
また、ここでは、通信システム１の作動について、複数の基地局２０のそれぞれがセル（接続セル又は協調セル）を１つずつ有する場合を一例として説明した。なお、１つの基地局２０が接続セル及び協調セルを有する場合、及び、１つの基地局２０が２つ以上の協調セルを有する場合も同様に説明できる。
【０１４４】
また、ＤＬ参照信号の送信から位相調整量の送信までの第１処理（図６のステップＳ１０８〜Ｓ１１３）の後に、ＵＬ参照信号の送信からプリコーディング行列の選択までの第２処理（図６のステップＳ１１４〜Ｓ１１７）が実行される場合を一例として説明した。なお、第２処理の後に、第１処理が実行される場合も同様に説明できる。
【０１４５】
以上、説明したように、第１実施形態に係る通信システム１は、複数の協調セルの中から、接続セル位相を調整するための基準となる基準協調セルを選択する。更に、ユーザ端末３０は、選択された基準協調セルにおいて受信された無線信号と、接続セルにおいて受信された無線信号と、に基づいて、接続セル位相を調整するための調整パラメータ（本例では、位相調整量）を取得する。加えて、ユーザ端末３０は、取得された調整パラメータを含む制御情報を、接続基地局２０へ送信する。更に、接続基地局２０は、制御情報を受信し、当該受信された制御情報に含まれる調整パラメータに基づいて接続セル位相が調整されるように、ＣｏＭＰ通信の実行を制御する。
【０１４６】
これによれば、接続基地局２０と他の基地局２０との間で、無線信号の複素平面における位相を調整するための情報が授受されることなく、接続セル位相が調整される。これにより、各セルにおける通信の状態が比較的短い時間内に変動する場合であっても、ユーザ端末３０における受信品質が低下することを回避することができる。
【０１４７】
更に、第１実施形態に係る通信システム１は、複数のセルのそれぞれにおいて、プリコーディング行列に基づくプリコーディング処理が実行された無線信号をユーザ端末３０へ伝送する。加えて、通信システム１は、適応方式を基準協調セルにおいて用いるとともに、非適応方式を非基準協調セルにおいて用いる。
【０１４８】
上述したように、接続セル位相は、基準協調セル及び接続セルのそれぞれにおいてユーザ端末３０が受信した無線信号に基づいて調整される。従って、基準協調セルにおいて、通信の状態に応じてプリコーディング行列が変更された場合であっても、接続セル位相を適切に調整することができる。この結果、ユーザ端末３０における受信品質が低下することを回避することができる。
【０１４９】
加えて、第１実施形態に係る通信システム１において、非適応方式は、所定の変更周期が経過する毎に、予め定められた複数のプリコーディング行列のいずれかに変更する方式である。
【０１５０】
例えば、非基準協調セルにおいて、通信の状態に応じてプリコーディング行列が変更される場合であっても、通信の状態がほとんど変化しない期間においては、プリコーディング行列が特定の行列に維持される。ここで、非基準協調セルは、基準協調セル以外の協調セルである。この期間において、非基準協調セル位相と、接続セル位相と、の差に起因して、ユーザ端末３０における受信品質が過度に低下している場合、受信品質が過度に低い状態が比較的長い時間に亘って維持されてしまう。これに対し、上記構成によれば、ユーザ端末３０における受信品質が過度に低い状態が維持されることを回避することができる。
【０１５１】
更に、第１実施形態に係る通信システム１は、複数のセルのそれぞれに対して、当該セルにおける通信の状態を表す通信状態パラメータ（本例では、ＲＳＲＰ）を取得する。加えて、通信システム１は、複数のセルのそれぞれに対して取得された通信状態パラメータに基づいて、基準協調セルを選択する。
【０１５２】
ところで、通信の状態が良好である協調セルほど、当該協調セルにおける無線信号の複素平面における位相（協調セル位相）と、接続セル位相と、の差が、ユーザ端末３０における受信品質に及ぼす影響が大きい。従って、上記のように構成された通信システム１によれば、通信の状態が相対的に良好である協調セルを基準協調セルとして選択することにより、ユーザ端末３０における受信品質が低下することを回避することができる。
【０１５３】
加えて、第１実施形態に係る通信システム１は、通信状態パラメータとして、ＲＳＲＰを用いるとともに、当該ＲＳＲＰが大きい協調セルほど優先して、基準協調セルとして選択する。
【０１５４】
ところで、ＲＳＲＰが大きい協調セルほど、協調セル位相と、接続セル位相と、の差が、ユーザ端末３０における受信品質に及ぼす影響が大きい。従って、上記のように構成された通信システム１によれば、ユーザ端末３０における受信品質が低下することを回避することができる。
【０１５５】
更に、第１実施形態に係る通信システム１は、基準協調セルとして１つの協調セルのみを選択する。加えて、通信システム１は、接続セル及び基準協調セルのみによりＣｏＭＰ通信が行なわれた場合において当該ＣｏＭＰ通信における通信路容量を最大にする調整パラメータを取得する。
これによれば、実際のＣｏＭＰ通信における通信路容量を大きくすることができる。
【０１５６】
なお、第１実施形態に係る通信システム１において、基準協調セル数は、通信状態パラメータ、及び、協調セルの数の少なくとも１つに基づいて変更されてもよい。この場合、基準協調セル数は、協調セルの数が多くなるほど多くなるように設定されることが好適である。また、基準協調セル数は、通信状態パラメータとしてのＲＳＲＰが大きくなるほど多くなるように設定されることが好適である。
【０１５７】
非基準協調セル位相と接続セル位相との差がユーザ端末３０における受信品質に及ぼす影響と、セルにおける通信の状態又は協調セルの数と、は比較的強い相関を有する。従って、このように通信システム１を構成することにより、基準協調セル数を適切に調整することができる。この結果、ユーザ端末３０における受信品質が低下することを回避することができる。
【０１５８】
また、第１実施形態に係る通信システム１は、非基準協調セルを接続基地局２０が有する場合、接続セル位相に加えて、協調セル位相を調整するように構成されていてもよい。協調セル位相は、接続基地局２０が有する非基準協調セルにおいて送信される無線信号の複素平面における位相である。
【０１５９】
これによれば、接続基地局２０と他の基地局２０との間で、無線信号の複素平面における位相を調整するための情報が授受されることなく、非基準協調セルにおける協調セル位相が調整される。これにより、ユーザ端末３０における受信品質が低下することを回避することができる。
【０１６０】
また、第１実施形態に係る通信システム１は、ユーザ端末３０毎に独立に、ＣｏＭＰ通信を行なうための処理を実行するように構成されていた。ところで、通信システム１は、ユーザ端末３０に割り当てられる無線リソースの単位であるリソースブロック（ＲＢ；Ｒｅｓｏｕｒｃｅ  Ｂｌｏｃｋ）毎に独立に、ＣｏＭＰ通信を行なうための処理を実行するように構成されていてもよい。
【０１６１】
また、第１実施形態に係る通信システム１において、基地局２０は、ＲＲＨ（Ｒｅｍｏｔｅ  Ｒａｄｉｏ  Ｈｅａｄ）を備え、ＲＲＨによりセルを形成するように構成されていてもよい。
【０１６２】
また、第１実施形態に係る通信システム１においては、ユーザ端末３０及び接続基地局２０の両方がプリコーディング行列を選択するように構成されていた。ところで、通信システム１は、ユーザ端末３０及び接続基地局２０の一方のみがプリコーディング行列を選択し、当該一方がユーザ端末３０及び接続基地局２０の他方へ、選択されたプリコーディング行列を通知してもよい。この場合、当該一方は、当該他方へ、プリコーディング行列を特定するための情報（例えば、ＰＭＩ（Ｐｒｅｃｏｄｉｎｇ  Ｍａｔｒｉｘ  Ｉｎｄｉｃａｔｏｒ））を送信することが好適である。
【０１６３】
＜第２実施形態＞
次に、本発明の第２実施形態に係る通信システムについて説明する。第２実施形態に係る通信システムは、上記第１実施形態に係る通信システムに対して、複数の協調セルを基準協調セルとして選択する点において相違している。以下、かかる相違点を中心として説明する。なお、第２実施形態の説明において、上記第１実施形態にて使用した符号と同じ符号を付したものは、同一又はほぼ同様のものである。
【０１６４】
図１１に示したように、第２実施形態に係る通信システム１は、第１実施形態に係るユーザ端末３０に代えて、ユーザ端末３０Ａを備える。ユーザ端末３０Ａの機能は、第１実施形態に係るユーザ端末３０の機能の、位相調整量算出部３１３を位相調整量算出部３１３Ａに置換した機能である。
また、本例では、プリコーディングタイプ決定部２１４が、基準協調セルとして選択する協調セルの数である基準協調セル数は、２以上の値Ｎに予め設定されている。
【０１６５】
位相調整量算出部３１３Ａは、位相調整量を算出するために用いる数式が位相調整量算出部３１３と相違する点を除いて、位相調整量算出部３１３と同様の機能を有する。具体的には、位相調整量算出部３１３Ａは、数式３に代えて数式４に基づいて位相調整量φ０を算出する。
【数４】
2014174584.tif 000006
【０１６６】
Ｈｉは、ｉ番目の基準協調セルに対して推定されたＤＬチャネル状態を表す行列である。Ｗｉは、ｉ番目の基準協調セルに対して選択されたプリコーディング行列である。ここで、ｉは、１からＮまでの整数である。Ｎは、基準協調セル数である。
【０１６７】
即ち、位相調整量算出部３１３Ａは、接続セル及び複数の基準協調セルのみによりＣｏＭＰ通信が行なわれた場合において当該ＣｏＭＰ通信における通信路容量を最大にする位相調整量を取得する、と言える。
このように構成された通信システム１によっても、第１実施形態に係る通信システム１と同様の作用及び効果を奏することができる。
【０１６８】
なお、プリコーディングタイプ決定部２１４は、基準協調セルのそれぞれに対するプリコーディングタイプとして適応方式を決定するように構成されていた。ところで、プリコーディングタイプ決定部２１４は、１つの基準協調セルに対するプリコーディングタイプとして適応方式を決定するとともに、他の基準協調セルのそれぞれに対するプリコーディングタイプとしてランダム方式を決定してもよい。
【０１６９】
この場合、位相調整量算出部３１３Ａは、数式４に代えて、プリコーディングタイプとしてランダム方式が決定された基準協調セルに対応する、数式４の右辺における項Ｈｉ・Ｗｉを、数式５に示した項に置換した数式を用いることが好適である。
【数５】
2014174584.tif 000007
【０１７０】
ここで、Ｗｉ，ｋは、ランダム方式において選択される複数のプリコーディング行列のうちのｋ番目のプリコーディング行列である。Ｍは、ランダム方式において選択されるプリコーディング行列の総数である。即ち、数式５に示した項は、ランダム方式を用いる基準協調セルにおける、ＤＬチャネル状態とプリコーディング行列との積の時間平均値に相当する。
【０１７１】
＜第３実施形態＞
次に、本発明の第３実施形態に係る通信システムについて説明する。第３実施形態に係る通信システムは、上記第１実施形態に係る通信システムに対して、複数の協調セルを基準協調セルとして選択する点において相違している。以下、かかる相違点を中心として説明する。なお、第３実施形態の説明において、上記第１実施形態にて使用した符号と同じ符号を付したものは、同一又はほぼ同様のものである。
【０１７２】
図１２に示したように、第３実施形態に係る通信システム１は、第１実施形態に係るユーザ端末３０に代えて、ユーザ端末３０Ｂを備える。ユーザ端末３０Ｂの機能は、第１実施形態に係るユーザ端末３０の機能の、位相調整量算出部３１３を位相調整量算出部３１３Ｂに置換した機能である。
また、本例では、プリコーディングタイプ決定部２１４が、基準協調セルとして選択する協調セルの数である基準協調セル数は、２以上の値Ｎに予め設定されている。
【０１７３】
位相調整量算出部３１３Ｂは、位相調整量を算出するために用いる数式が位相調整量算出部３１３と相違する点を除いて、位相調整量算出部３１３と同様の機能を有する。具体的には、位相調整量算出部３１３Ｂは、数式３に代えて、数式６及び数式７に基づいて位相調整量φ０を算出する。
【数６】
2014174584.tif 000008
【数７】
2014174584.tif 000009
【０１７４】
φｉは、ｉ番目の基準協調セルに対する暫定位相調整量である。暫定位相調整量φｉは、接続セル、及び、ｉ番目の基準協調セルのみによりＣｏＭＰ通信が行なわれた場合において当該ＣｏＭＰ通信における通信路容量を最大にする、接続セル位相を調整するための暫定調整パラメータの一例である。ｗｉは、ｉ番目の基準協調セルに対する重み付け係数である。ここで、ｉは、１からＮまでの整数である。Ｎは、基準協調セル数である。Ｈｉは、ｉ番目の基準協調セルに対して推定されたＤＬチャネル状態を表す行列である。Ｗｉは、ｉ番目の基準協調セルに対して選択されたプリコーディング行列である。
【０１７５】
本例では、重み付け係数ｗｉは、同一の値に設定される。即ち、数式６は、単純平均（算術平均）を表す。なお、重み付け係数ｗｉは、互いに異なる値に設定されてもよい。この場合、数式６は、加重平均を表す。更に、この場合、重み付け係数ｗｉは、基準協調セルにおける通信状態パラメータに基づいて設定されることが好適である。例えば、重み付け係数ｗｉは、ＲＳＲＰが大きくなるほど大きくなる値に設定される。
【０１７６】
このように、位相調整量算出部３１３Ｂは、複数の基準協調セルのそれぞれに対して、暫定位相調整量φｉを取得する、と言える。更に、位相調整量算出部３１３Ｂは、複数の基準協調セルのそれぞれに対して取得された暫定位相調整量φｉに基づいて位相調整量φ０を取得する、と言える。
このように構成された通信システム１によっても、第１実施形態に係る通信システム１と同様の作用及び効果を奏することができる。
【０１７７】
なお、第３実施形態に係るユーザ端末３０Ｂは、位相調整量φ０を接続基地局２０へ送信するように構成されていた。ところで、ユーザ端末３０Ｂは、暫定位相調整量φｉを接続基地局２０へ送信するように構成されていてもよい。この場合、接続基地局２０は、受信された暫定位相調整量φｉと、数式６と、に基づいて位相調整量φ０を取得するように構成される。即ち、この場合、暫定位相調整量φｉが、調整パラメータの一例である、と言える。
【０１７８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１７９】
なお、上記各実施形態において、各装置（交換局、基地局、又は、ユーザ端末）の各機能は、回路等のハードウェアにより実現されていた。ところで、各装置は、処理装置と、プログラム（ソフトウェア）を記憶する記憶装置と、を備えるコンピュータを有するとともに、処理装置がそのプログラムを実行することにより、各機能を実現するように構成されていてもよい。この場合、プログラムは、コンピュータ読み取り可能な記録媒体に記憶されていてもよい。例えば、記録媒体は、フレキシブルディスク、光ディスク、光磁気ディスク、及び、半導体メモリ等の可搬性を有する媒体である。
【０１８０】
また、本発明の趣旨を逸脱しない範囲内において、上記実施形態の他の変形例として、上述した実施形態及び変形例の任意の組み合わせが採用されてもよい。
【符号の説明】
【０１８１】
１      通信システム
１０    交換局
２０    基地局
２１    無線通信装置
２２    有線通信装置
２３    無線信号処理装置
２４    デジタル信号処理装置
２０１  ＤＬ参照信号生成部
２０２  ＤＬ制御信号生成部
２０３  ＤＬデータ信号生成部
２０４  物理チャネル多重部
２０５  ＩＦＦＴ部
２０６  送信ＲＦ部
２０７  送信アンテナ部
２０８  受信アンテナ部
２０９  受信ＲＦ部
２１０  ＵＬチャネル推定部
２１１  プリコーディング選択部
２１２  ＵＬ制御信号復調部
２１３  協調ＴＰ決定部
２１４  プリコーディングタイプ決定部
２１５  スケジューラ部
３０，３０Ａ，３０Ｂ  ユーザ端末
３１    無線通信装置
３２    無線信号処理装置
３３    デジタル信号処理装置
３４    入力装置
３５    出力装置
３０１  ＵＬ参照信号生成部
３０２  ＵＬ制御信号生成部
３０３  物理チャネル多重部
３０４  送信ＲＦ部
３０５  送信アンテナ部
３０６  受信アンテナ部
３０７  受信ＲＦ部
３０８  ＦＦＴ部
３０９  ＤＬデータ信号復調部
３１０  ＤＬ制御信号復調部
３１１  ＤＬチャネル推定部
３１２  プリコーディング選択部
３１３，３１３Ａ，３１３Ｂ  位相調整量算出部
３１４  ＲＳＲＰ算出部
ＮＷ    通信網
【図１】
2014174584.tif 000010
【図２】
2014174584.tif 000011
【図３】
2014174584.tif 000012
【図４】
2014174584.tif 000013
【図５】
2014174584.tif 000014
【図６】
2014174584.tif 000015
【図７】
2014174584.tif 000016
【図８】
2014174584.tif 000017
【図９】
2014174584.tif 000018
【図１０】
2014174584.tif 000019
【図１１】
2014174584.tif 000020
【図１２】
2014174584.tif 000021
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムであって、
前記複数の協調セルの中から、前記接続セルにおいて送信される無線信号の複素平面における位相である接続セル位相を調整するための基準となる基準協調セルを選択する選択手段を備え、
前記ユーザ端末は、
前記選択された基準協調セルにおいて受信された無線信号と、前記接続セルにおいて受信された無線信号と、に基づいて、前記接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備え、
前記接続基地局は、
前記制御情報を受信し、当該受信された制御情報に含まれる前記調整パラメータに基づいて前記接続セル位相が調整されるように、前記ＣｏＭＰ通信の実行を制御する制御手段を備える通信システム。
【請求項２】
請求項１に記載の通信システムであって、
前記複数のセルのそれぞれにおいて、プリコーディング行列に基づくプリコーディング処理が実行された前記無線信号を前記ユーザ端末へ伝送するように構成され、且つ、
前記セルにおける通信の状態に応じてプリコーディング行列を変更する適応方式を、前記基準協調セルにおいて用いるとともに、前記セルにおける通信の状態に応じてプリコーディング行列を変更しない非適応方式を、前記複数の協調セルのうちの前記基準協調セル以外の非基準協調セルにおいて用いるように構成された通信システム。
【請求項３】
請求項２に記載の通信システムであって、
前記非適応方式は、所定の変更周期が経過する毎に、予め定められた複数のプリコーディング行列のいずれかに変更する方式である通信システム。
【請求項４】
請求項１乃至請求項３のいずれか一項に記載の通信システムであって、
前記複数のセルのそれぞれに対して、当該セルにおける通信の状態を表す通信状態パラメータを取得する通信状態取得手段を備え、
前記選択手段は、前記複数のセルのそれぞれに対して取得された通信状態パラメータに基づいて、前記基準協調セルを選択するように構成された通信システム。
【請求項５】
請求項４に記載の通信システムであって、
前記選択手段は、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択するように構成された通信システム。
【請求項６】
請求項５に記載の通信システムであって、
前記選択手段は、前記ＲＳＲＰが最大である協調セルを、前記基準協調セルとして選択するように構成された通信システム。
【請求項７】
請求項１乃至請求項６のいずれか一項に記載の通信システムであって、
前記選択手段は、前記セルにおける通信の状態を表す通信状態パラメータ、及び、前記協調セルの数、の少なくとも１つに基づいて、前記基準協調セルとして選択される協調セルの数を変更するように構成された通信システム。
【請求項８】
請求項１乃至請求項７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得するように構成された通信システム。
【請求項９】
請求項１乃至請求項７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得するように構成された通信システム。
【請求項１０】
請求項１乃至請求項７のいずれか一項に記載の通信システムであって、
前記選択手段は、前記基準協調セルとして複数の協調セルを選択するように構成され、
前記調整パラメータ取得手段は、前記接続セル及び前記選択された複数の基準協調セルのみによりＣｏＭＰ通信が行なわれた場合において当該ＣｏＭＰ通信における通信路容量を最大にする前記調整パラメータを取得するように構成された通信システム。
【請求項１１】
請求項１乃至請求項７のいずれか一項に記載の通信システムであって、
前記選択手段は、前記基準協調セルとして１つの協調セルのみを選択するように構成され、
前記調整パラメータ取得手段は、前記接続セル及び前記基準協調セルのみによりＣｏＭＰ通信が行なわれた場合において当該ＣｏＭＰ通信における通信路容量を最大にする前記調整パラメータを取得するように構成された通信システム。
【請求項１２】
請求項１乃至請求項１１のいずれか一項に記載の通信システムであって、
前記複数の協調セルのうちの、前記選択された基準協調セル以外の非基準協調セルを前記接続基地局が有する場合、前記接続セル位相に加えて、当該非基準協調セルにおいて送信される無線信号の複素平面における位相である協調セル位相を調整するように構成された通信システム。
【請求項１３】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムに適用される通信方法であって、
前記複数の協調セルの中から、前記接続セルにおいて送信される無線信号の複素平面における位相である接続セル位相を調整するための基準となる基準協調セルを選択し、
前記ユーザ端末が、前記選択された基準協調セルにおいて受信された無線信号と、前記接続セルにおいて受信された無線信号と、に基づいて、前記接続セル位相を調整するための調整パラメータを取得し、
前記ユーザ端末が、前記取得された調整パラメータを含む前記制御情報を、前記複数の基地局のうちの前記接続セルを有する接続基地局へ送信し、
前記接続基地局が、前記制御情報を受信し、当該受信された制御情報に含まれる前記調整パラメータに基づいて前記接続セル位相が調整されるように、前記ＣｏＭＰ通信の実行を制御する、通信方法。
【請求項１４】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備えるユーザ端末。
【請求項１５】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末の制御方法であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得し、
前記取得された調整パラメータを含む前記制御情報を、前記複数の基地局のうちの前記接続セルを有する接続基地局へ送信する、制御方法。
【請求項１６】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局であって、
前記複数の協調セルの中から、前記接続セルにおいて送信される無線信号の複素平面における位相である接続セル位相を調整するための基準となる基準協調セルを選択する選択手段と、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する制御手段と、
を備える接続基地局。
【請求項１７】
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局の制御方法であって、
前記複数の協調セルの中から、前記接続セルにおいて送信される無線信号の複素平面における位相である接続セル位相を調整するための基準となる基準協調セルを選択し、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する、制御方法。
【手続補正２】
【補正対象書類名】明細書
【補正対象項目名】０１８０
【補正方法】変更
【補正の内容】
【０１８０】
また、本発明の趣旨を逸脱しない範囲内において、上記実施形態の他の変形例として、上述した実施形態及び変形例の任意の組み合わせが採用されてもよい。
（付記）以上の実施形態に関し、さらに以下の付記を開示する。
（付記１）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムであって、
前記複数の協調セルの中から、前記接続セルにおいて送信される無線信号の複素平面における位相である接続セル位相を調整するための基準となる基準協調セルを選択する選択手段を備え、
前記ユーザ端末は、
前記選択された基準協調セルにおいて受信された無線信号と、前記接続セルにおいて受信された無線信号と、に基づいて、前記接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備え、
前記接続基地局は、
前記制御情報を受信し、当該受信された制御情報に含まれる前記調整パラメータに基づいて前記接続セル位相が調整されるように、前記ＣｏＭＰ通信の実行を制御する制御手段を備える通信システム。
（付記２）
付記１に記載の通信システムであって、
前記複数のセルのそれぞれにおいて、プリコーディング行列に基づくプリコーディング処理が実行された前記無線信号を前記ユーザ端末へ伝送するように構成され、且つ、
前記セルにおける通信の状態に応じてプリコーディング行列を変更する適応方式を、前記基準協調セルにおいて用いるとともに、前記セルにおける通信の状態に応じてプリコーディング行列を変更しない非適応方式を、前記複数の協調セルのうちの前記基準協調セル以外の非基準協調セルにおいて用いるように構成された通信システム。
（付記３）
付記２に記載の通信システムであって、
前記非適応方式は、所定の変更周期が経過する毎に、予め定められた複数のプリコーディング行列のいずれかに変更する方式である通信システム。
（付記４）
付記１乃至付記３のいずれか一項に記載の通信システムであって、
前記複数のセルのそれぞれに対して、当該セルにおける通信の状態を表す通信状態パラメータを取得する通信状態取得手段を備え、
前記選択手段は、前記複数のセルのそれぞれに対して取得された通信状態パラメータに基づいて、前記基準協調セルを選択するように構成された通信システム。
（付記５）
付記４に記載の通信システムであって、
前記選択手段は、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択するように構成された通信システム。
（付記６）
付記５に記載の通信システムであって、
前記選択手段は、前記ＲＳＲＰが最大である協調セルを、前記基準協調セルとして選択するように構成された通信システム。
（付記７）
付記１乃至付記６のいずれか一項に記載の通信システムであって、
前記選択手段は、前記セルにおける通信の状態を表す通信状態パラメータ、及び、前記協調セルの数、の少なくとも１つに基づいて、前記基準協調セルとして選択される協調セルの数を変更するように構成された通信システム。
（付記８）
付記１乃至付記７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得するように構成された通信システム。
（付記９）
付記１乃至付記７のいずれか一項に記載の通信システムであって、
前記選択手段は、前記基準協調セルとして複数の協調セルを選択するように構成され、
前記調整パラメータ取得手段は、前記選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得するように構成された通信システム。
（付記１０）
付記１乃至付記７のいずれか一項に記載の通信システムであって、
前記選択手段は、前記基準協調セルとして複数の協調セルを選択するように構成され、
前記調整パラメータ取得手段は、前記接続セル及び前記選択された複数の基準協調セルのみによりＣｏＭＰ通信が行なわれた場合において当該ＣｏＭＰ通信における通信路容量を最大にする前記調整パラメータを取得するように構成された通信システム。
（付記１１）
付記１乃至付記７のいずれか一項に記載の通信システムであって、
前記選択手段は、前記基準協調セルとして１つの協調セルのみを選択するように構成され、
前記調整パラメータ取得手段は、前記接続セル及び前記基準協調セルのみによりＣｏＭＰ通信が行なわれた場合において当該ＣｏＭＰ通信における通信路容量を最大にする前記調整パラメータを取得するように構成された通信システム。
（付記１２）
付記１乃至付記１１のいずれか一項に記載の通信システムであって、
前記複数の協調セルのうちの、前記選択された基準協調セル以外の非基準協調セルを前記接続基地局が有する場合、前記接続セル位相に加えて、当該非基準協調セルにおいて送信される無線信号の複素平面における位相である協調セル位相を調整するように構成された通信システム。
（付記１３）
付記１乃至付記１２のいずれか一項に記載の通信システムであって、
前記調整パラメータは、位相の量を表し、
前記制御手段は、前記調整パラメータが表す位相の量に基づいて、前記接続セル位相を調整するように構成された通信システム。
（付記１４）
付記１乃至付記１３のいずれか一項に記載の通信システムであって、
前記複数の基地局のうちの、前記接続基地局以外の協調基地局が、少なくとも１つの前記協調セルを有する通信システム。
（付記１５）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムに適用される通信方法であって、
前記複数の協調セルの中から、前記接続セルにおいて送信される無線信号の複素平面における位相である接続セル位相を調整するための基準となる基準協調セルを選択し、
前記ユーザ端末が、前記選択された基準協調セルにおいて受信された無線信号と、前記接続セルにおいて受信された無線信号と、に基づいて、前記接続セル位相を調整するための調整パラメータを取得し、
前記ユーザ端末が、前記取得された調整パラメータを含む前記制御情報を、前記複数の基地局のうちの前記接続セルを有する接続基地局へ送信し、
前記接続基地局が、前記制御情報を受信し、当該受信された制御情報に含まれる前記調整パラメータに基づいて前記接続セル位相が調整されるように、前記ＣｏＭＰ通信の実行を制御する、通信方法。
（付記１６）
付記１５に記載の通信方法であって、
前記複数のセルのそれぞれにおいて、プリコーディング行列に基づくプリコーディング処理が実行された前記無線信号を前記ユーザ端末へ伝送し、
前記セルにおける通信の状態に応じてプリコーディング行列を変更する適応方式を、前記基準協調セルにおいて用いるとともに、前記セルにおける通信の状態に応じてプリコーディング行列を変更しない非適応方式を、前記複数の協調セルのうちの前記基準協調セル以外の協調セルである非基準協調セルにおいて用いる、通信方法。
（付記１７）
付記１６に記載の通信方法であって、
前記非適応方式は、所定の変更周期が経過する毎に、予め定められた複数のプリコーディング行列のいずれかに変更する方式である通信方法。
（付記１８）
付記１５乃至付記１７のいずれか一項に記載の通信方法であって、
前記複数のセルのそれぞれに対して、当該セルにおける通信の状態を表す通信状態パラメータを取得し、
前記選択において、前記複数のセルのそれぞれに対して取得された通信状態パラメータに基づいて、前記基準協調セルを選択する、通信方法。
（付記１９）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得する調整パラメータ取得手段と、
前記取得された調整パラメータを含む前記制御情報を、前記複数の基地局のうちの前記接続セルを有する接続基地局へ送信する送信手段と、
を備えるユーザ端末。
（付記２０）
付記１９に記載のユーザ端末であって、
前記調整パラメータ取得手段は、前記基準協調セルとして複数の協調セルが選択された場合において、当該選択された複数の基準協調セルのそれぞれに対して、前記接続セル及び当該基準協調セルのみによりＣｏＭＰ通信が行なわれたときに当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得するように構成されたユーザ端末。
（付記２１）
付記１９に記載のユーザ端末であって、
前記調整パラメータ取得手段は、前記基準協調セルとして複数の協調セルが選択された場合において、当該選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得するように構成されたユーザ端末。
（付記２２）
付記１９に記載のユーザ端末であって、
前記調整パラメータ取得手段は、前記基準協調セルとして複数の協調セルが選択された場合において、前記接続セル及び当該選択された複数の基準協調セルのみによりＣｏＭＰ通信が行なわれたときに当該ＣｏＭＰ通信における通信路容量を最大にする前記調整パラメータを取得するように構成されたユーザ端末。
（付記２３）
付記１９に記載のユーザ端末であって、
前記調整パラメータ取得手段は、前記基準協調セルとして１つの協調セルのみが選択された場合において、前記接続セル及び当該基準協調セルのみによりＣｏＭＰ通信が行なわれたときに当該ＣｏＭＰ通信における通信路容量を最大にする前記調整パラメータを取得するように構成されたユーザ端末。
（付記２４）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける当該ユーザ端末の制御方法であって、
前記複数の協調セルの中から、前記接続セルにおいて送信される無線信号の複素平面における位相である接続セル位相を調整するための基準として選択された基準協調セルにおいて受信された無線信号と、当該接続セルにおいて受信された無線信号と、に基づいて、当該接続セル位相を調整するための調整パラメータを取得し、
前記取得された調整パラメータを含む前記制御情報を、前記複数の基地局のうちの前記接続セルを有する接続基地局へ送信する、制御方法。
（付記２５）
付記２４に記載の制御方法であって、
前記基準協調セルとして複数の協調セルが選択された場合において、当該選択された複数の基準協調セルのそれぞれに対して、前記接続セル及び当該基準協調セルのみによりＣｏＭＰ通信が行なわれたときに当該ＣｏＭＰ通信における通信路容量を最大にする、前記接続セル位相を調整するための暫定調整パラメータを取得するとともに、前記選択された複数の基準協調セルのそれぞれに対して取得された暫定調整パラメータに基づいて前記調整パラメータを取得する、制御方法。
（付記２６）
付記２４に記載の制御方法であって、
前記基準協調セルとして複数の協調セルが選択された場合において、当該選択された複数の基準協調セルのそれぞれに対して、前記接続セル及び当該基準協調セルのみによりＣｏＭＰ通信が行なわれた場合において当該ＣｏＭＰ通信における通信路容量を最大にする前記調整パラメータを取得する、制御方法。
（付記２７）
付記２４に記載の制御方法であって、
前記基準協調セルとして複数の協調セルが選択された場合において、前記接続セル及び当該選択された複数の基準協調セルのみによりＣｏＭＰ通信が行なわれたときに当該ＣｏＭＰ通信における通信路容量を最大にする前記調整パラメータを取得する、制御方法。
（付記２８）
付記２４に記載の制御方法であって、
前記基準協調セルとして１つの協調セルのみが選択された場合において、前記接続セル及び当該基準協調セルのみによりＣｏＭＰ通信が行なわれたときに当該ＣｏＭＰ通信における通信路容量を最大にする前記調整パラメータを取得する、制御方法。
（付記２９）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局であって、
前記複数の協調セルの中から、前記接続セルにおいて送信される無線信号の複素平面における位相である接続セル位相を調整するための基準となる基準協調セルを選択する選択手段と、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する制御手段と、
を備える接続基地局。
（付記３０）
付記２９に記載の接続基地局であって、
前記通信システムは、前記複数のセルのそれぞれにおいて、プリコーディング行列に基づくプリコーディング処理が実行された前記無線信号を前記ユーザ端末へ伝送するように構成され、
前記接続基地局は、
前記基準協調セルを有する基地局へ、前記セルにおける通信の状態に応じてプリコーディング行列を変更する適応方式を当該基準協調セルにおいて用いるように指示する方式指示を送信するとともに、前記複数の協調セルのうちの当該基準協調セル以外の非基準協調セルを有する基地局へ、前記セルにおける通信の状態に応じてプリコーディング行列を変更しない非適応方式を当該非基準協調セルにおいて用いるように指示する方式指示を送信する送信手段を備える接続基地局。
（付記３１）
付記２９又は付記３０に記載の接続基地局であって、
前記複数のセルのそれぞれに対して、当該セルにおける通信の状態を表す通信状態パラメータを取得する通信状態取得手段を備え、
前記選択手段は、前記複数のセルのそれぞれに対して取得された通信状態パラメータに基づいて、前記基準協調セルを選択するように構成された接続基地局。
（付記３２）
付記３１に記載の接続基地局であって、
前記選択手段は、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択するように構成された接続基地局。
（付記３３）
付記２９乃至付記３２のいずれか一項に記載の接続基地局であって、
前記選択手段は、前記セルにおける通信の状態を表す通信状態パラメータ、及び、前記協調セルの数、の少なくとも１つに基づいて、前記基準協調セルとして選択される協調セルの数を変更するように構成された接続基地局。
（付記３４）
ユーザ端末と複数の基地局とを備えるとともに、当該ユーザ端末と当該基地局との間の通信を制御するための制御情報を授受するための無線リソースが提供されるセルである接続セルと、当該接続セル以外の複数の協調セルと、を含む複数のセルにて同一のデータを表す無線信号を当該ユーザ端末へ伝送するＣｏＭＰ（Ｃｏｏｒｄｉｎａｔｅｄ  Ｍｕｌｔｉ−Ｐｏｉｎｔ）通信を行なう通信システムにおける、当該複数の基地局のうちの当該接続セルを有する接続基地局の制御方法であって、
前記複数の協調セルの中から、前記接続セルにおいて送信される無線信号の複素平面における位相である接続セル位相を調整するための基準となる基準協調セルを選択し、
前記選択された基準協調セルにおいて受信された無線信号と、前記接続セルにおいて受信された無線信号と、に基づいて前記ユーザ端末によって取得された、前記接続セル位相を調整するための調整パラメータを含む前記制御情報を当該ユーザ端末から受信し、当該受信された制御情報に含まれる当該調整パラメータに基づいて当該接続セル位相が調整されるように、前記ＣｏＭＰ通信の実行を制御する、制御方法。
（付記３５）
付記３４に記載の制御方法であって、
前記通信システムは、前記複数のセルのそれぞれにおいて、プリコーディング行列に基づくプリコーディング処理が実行された前記無線信号を前記ユーザ端末へ伝送するように構成され、
前記制御方法は、
前記基準協調セルを有する基地局へ、前記セルにおける通信の状態に応じてプリコーディング行列を変更する適応方式を当該基準協調セルにおいて用いるように指示する方式指示を送信するとともに、前記複数の協調セルのうちの当該基準協調セル以外の非基準協調セルを有する基地局へ、前記セルにおける通信の状態に応じてプリコーディング行列を変更しない非適応方式を当該非基準協調セルにおいて用いるように指示する方式指示を送信する、制御方法。
（付記３６）
付記３４又は付記３５に記載の制御方法であって、
前記複数のセルのそれぞれに対して、当該セルにおける通信の状態を表す通信状態パラメータを取得し、
前記選択において、前記複数のセルのそれぞれに対して取得された通信状態パラメータに基づいて、前記基準協調セルを選択する、制御方法。
（付記３７）
付記３６に記載の制御方法であって、
前記選択において、前記通信状態パラメータとして、ＲＳＲＰ（Ｒｅｆｅｒｅｎｃｅ  Ｓｉｇｎａｌ  Ｒｅｃｅｉｖｅｄ  Ｐｏｗｅｒ）を用いるとともに、当該ＲＳＲＰが大きい協調セルほど優先して、前記基準協調セルとして選択する、制御方法。
（付記３８）
付記３４乃至付記３７のいずれか一項に記載の制御方法であって、
前記選択において、前記セルにおける通信の状態を表す通信状態パラメータ、及び、前記協調セルの数、の少なくとも１つに基づいて、前記基準協調セルとして選択される協調セルの数を変更する、制御方法。
【国際調査報告】
2014174584.tif 000022
2014174584.tif 000023
2014174584.tif 000024
2014174584.tif 000025